(57)【要約】【課題】ダクト型の空気調和装置において、吸入口に設けられたフィルタの掃除に要する労力を減らす。【解決手段】空気調和装置１は、天井裏空間Ｓに設置可能なダクト型の空気調和装置であって、ダクト接続される吹出口２２ａとダクト接続される吸入口２１ａとが形成されたケーシング２と、吸入口２１ａに設けられるフィルタ４と、フィルタ４が捕集した塵埃をフィルタ４から除去する清掃機構９と、清掃機構９によって除去される塵埃を溜めるダストボックス１１とを備えている。【選択図】図６
2007147168.tif 000002
【特許請求の範囲】
【請求項１】
天井裏空間に設置可能なダクト型の空気調和装置であって、
ダクト接続される吹出口（２２ａ）とダクト接続される吸入口（２１ａ）とが形成されたケーシング（２）と、
前記吸入口に設けられるフィルタ（４）と、
前記フィルタが捕集した塵埃を前記フィルタから除去する清掃機構（９）と、
前記清掃機構によって除去される塵埃を溜めるダストボックス（１１）と、
を備えた空気調和装置（１）。
【請求項２】
前記ダストボックス（１１）は、前記ケーシング（２）の側面に設けられている、請求項１に記載の空気調和装置（１）。
【請求項３】
前記ケーシング（２）の側面には、前記ケーシング内に収容された機器を点検する際に開けられるケーシング蓋（２６ａ）が設けられており、
前記ダストボックス（１１）は、前記ケーシング蓋が設けられた前記ケーシングの側面に設けられている、請求項２に記載の空気調和装置（１）。
【請求項４】
前記ダストボックス（１１）は、前記ケーシング蓋（２６ａ）と一体に設けられている、請求項３に記載の空気調和装置（１）。
【請求項５】
前記ダストボックス（１１）には、掃除機のノズルを差し込むことが可能なノズル差込口（１３）が下向き又は水平向きに形成されている、請求項１〜４のいずれかに記載の空気調和装置（１）。
【請求項６】
前記ノズル差込口（１３）には、掃除機のノズルを差し込むことによって開く開閉蓋（１４、１１４）が設けられている、請求項５に記載の空気調和装置（１）。
【請求項７】
前記開閉蓋（１４、１１４）は、掃除機のノズルを前記ノズル差込口（１３）から抜き出すことによって閉じる、請求項６に記載の空気調和装置（１）。
【請求項８】
前記開閉蓋（１４、１１４）は、上向きに開く、請求項６又は７に記載の空気調和装置（１）。
【請求項９】
前記開閉蓋（１４、１１４）は、自重によって閉じる、請求項５〜８のいずれかに記載の空気調和装置（１）。
【請求項１０】
前記開閉蓋（１４、１１４）は、掃除機のノズルの差し込み方向に並んで２つ設けられている、請求項５〜９のいずれかに記載の空気調和装置（１）。
【請求項１１】
前記ダストボックス（１１）には、掃除機の吸引力によって弾性変形可能な素材からなる弁（１６）が設けられている、請求項５〜１０のいずれかに記載の空気調和装置（１）。
【請求項１２】
前記ダストボックス（１１）は、前記ノズル差込口（１３）に面する第１壁部（１２）と、前記第１壁部に対向する第２壁部（１７）と、前記第１壁部に接する第３壁部（１８）とを有しており、
前記第２壁部には、複数の空気孔（１７ａ）が形成されている、請求項５〜１１のいずれかに記載の空気調和装置（１）。
【請求項１３】
前記ダストボックス（１１）は、前記ノズル差込口（１３）に面する第１壁部（１２）と、前記第１壁部に対向する第２壁部（１７）と、前記第１壁部に接する第３壁部（１８）とを有しており、
前記第３壁部には、複数の空気孔（１８ａ）が形成されている、請求項５〜１２のいずれかに記載の空気調和装置（１）。
【請求項１４】
前記空気孔（１８ａ）は、前記第１壁部（１２）と前記第２壁部（１８）との中間位置から前記第２壁部側の位置に形成されている、請求項１３に記載の空気調和装置（１）。
【請求項１５】
前記ダストボックス（１１）は、前記ケーシング（２）内に配置されており、前記吸入口（２１ａ）から前記吹出口（２２ａ）に至る空気流路（２ａ）に連通する空気孔（１７ａ、１８ａ）が形成されており、前記空気孔が形成された部分が、塵埃が溜められる部分よりも上流側に配置されている、請求項１〜１１に記載の空気調和装置（１）。
【請求項１６】
前記ケーシング（２）には、前記吸入口（２１ａ）を通じて前記ケーシング内に空気を吸入するための送風ファン（４）が収容されるとともに、前記吸入口から前記送風ファンに至る空気の吸入流路（２ｂ）が形成されており、
前記ダストボックス（１１）は、前記ケーシング外に配置されており、前記吸入流路に連通する空気孔が形成されている、
請求項１〜１１のいずれかに記載の空気調和装置（１）。
【請求項１７】
前記ダストボックス（１１）は、前記ケーシング（２）から取り外し可能であり、前記清掃機構（９）によって前記フィルタ（４）から除去される塵埃が、塵埃導入ホース（６１）を介して導入されるように設けられている、請求項５〜１４のいずれかに記載の空気調和装置（１）。
【請求項１８】
前記ダストボックス（１１）には、内部に溜められる塵埃を天井に設けられた点検口まで導出するための塵埃導出ホース（７１）が接続されており、
前記塵埃導出ホースの点検口側の先端には、掃除機のノズルを差し込むことが可能なノズル差込口（７３）が形成されている、
請求項１〜４のいずれかに記載の空気調和装置（１）。
【請求項１９】
前記ダストボックス（１１）は、着脱自在に前記ケーシング（２）に設けられている、請求項１〜３のいずれかに記載の空気調和装置（１）。
【発明の詳細な説明】
【技術分野】
【０００１】
本発明は、空気調和装置、特に、空調室の天井裏空間に設置可能なダクト型の空気調和装置に関する。
【背景技術】
【０００２】
従来のダクト型の空気調和装置として、例えば、背面にダクト接続される吸入口と、前面にダクト接続される吹出口とが形成されたケーシングと、ケーシング内に配置される送風ファン及び熱交換器とを備えたものがある。このようなダクト型の空気調和装置においては、吸入口にフィルタが設けられている。このフィルタは、空気中に含まれる塵埃がケーシング内に流入しないように捕集するものである。
【発明の開示】
【発明が解決しようとする課題】
【０００３】
しかし、空気調和装置の運転を長時間行うと、上述のフィルタに塵埃が堆積して吸入口における圧力損失が大きくなり、性能低下等の原因となるため、フィルタに捕集された塵埃を取り除く必要がある。そして、このフィルタの掃除は、天井の点検口を開け、ダクト接続されたケーシングの吸入口からフィルタを取り外して行う必要があるため、非常に労力を必要とする作業となっている。
【０００４】
本発明の課題は、ダクト型の空気調和装置において、吸入口に設けられたフィルタの掃除に要する労力を減らすことにある。
【課題を解決するための手段】
【０００５】
第１の発明にかかる空気調和装置は、天井裏空間に設置可能なダクト型の空気調和装置であって、ダクト接続される吹出口とダクト接続される吸入口とが形成されたケーシングと、吸入口に設けられるフィルタと、フィルタが捕集した塵埃をフィルタから除去する清掃機構と、清掃機構によって除去される塵埃を溜めるダストボックスとを備えている。
この空気調和装置では、清掃機構が設けられているため、フィルタを取り外すことなく、ケーシングの吸入口に設けられたフィルタから塵埃を除去し、除去された塵埃をダストボックスに溜めることができる。これにより、このダクト型の空気調和装置では、吸入口に設けられたフィルタの掃除に要する労力を減らすことができる。
【０００６】
第２の発明にかかる空気調和装置は、第１の発明にかかる空気調和装置において、ダストボックスは、ケーシングの側面に設けられている。
この空気調和装置では、ダストボックスがケーシングの側面に設けられているため、吸入口から吹出口に向かう空気の流れを妨げにくくなっている。
【０００７】
第３の発明にかかる空気調和装置は、第２の発明にかかる空気調和装置において、ケーシングの側面には、ケーシング内に収容された機器を点検する際に開けられるケーシング蓋が設けられている。ダストボックスは、ケーシング蓋が設けられたケーシングの側面に設けられている。
この空気調和装置では、ダストボックスが、ケーシング蓋が設けられたケーシングの側面に設けられているため、天井の点検口を開けることによって、ダストボックスに容易にアクセスすることができる。
【０００８】
第４の発明にかかる空気調和装置は、第３の発明にかかる空気調和装置において、ダストボックスは、ケーシング蓋と一体に設けられている。
この空気調和装置では、ダストボックスがケーシング蓋と一体に設けられているため、ケーシング内に収容された機器を点検する際に、ケーシング蓋とともにダストボックスを取り外すことができる。
【０００９】
第５の発明にかかる空気調和装置は、第１〜第４の発明のいずれかにかかる空気調和装置において、ダストボックスには、掃除機のノズルを差し込むことが可能なノズル差込口が下向き又は水平向きに形成されている。
この空気調和装置では、ノズル差込口が下向き又は水平向きに形成されているため、天井に設けられた点検口を開けて掃除機のノズルをノズル差込口に差し込むという簡単な作業により、ダストボックスに溜められた塵埃をダストボックス内から掃除機に吸引して排出することができる。
【００１０】
第６の発明にかかる空気調和装置は、第５の発明にかかる空気調和装置において、ノズル差込口には、掃除機のノズルを差し込むことによって開く開閉蓋が設けられている。
この空気調和装置では、ノズル差込口に掃除機のノズルを差し込むことによって開く開閉蓋が設けられているため、掃除機によってダストボックスに溜められた塵埃を吸引する作業を行うまで、清掃機構によってダストボックスに溜められた塵埃がノズル差込口から飛散するのを防ぐことができる。
【００１１】
第７の発明にかかる空気調和装置は、第６の発明にかかる空気調和装置において、開閉蓋は、掃除機のノズルをノズル差込口から抜き出すことによって閉じる。
この空気調和装置では、開閉蓋が、掃除機のノズルをノズル差込口から抜き出すことによって閉じるようになっているため、開閉蓋の閉め忘れを防ぐことができる。
【００１２】
第８の発明にかかる空気調和装置は、第６又は第７の発明にかかる空気調和装置において、開閉蓋は、上向きに開く。
この空気調和装置では、開閉蓋が上向きに開くため、開閉蓋が開く際にダストボックスに溜められた塵埃がこぼれ落ちるのを防ぐことができる。
【００１３】
第９の発明にかかる空気調和装置は、第５〜第８の発明のいずれかにかかる空気調和装置において、開閉蓋は、自重によって閉じる。
この空気調和装置では、開閉蓋が自重によって閉じるため、掃除機のノズルをノズル差込口から抜き出すことによって開閉蓋を閉じることができる。
【００１４】
第１０の発明にかかる空気調和装置は、第５〜第９の発明のいずれかにかかる空気調和装置において、開閉蓋は、掃除機のノズルの差し込み方向に並んで２つ設けられている。
この空気調和装置では、開閉蓋が掃除機のノズルの差し込み方向に並んで２つ設けられているため、清掃機構によってダストボックスに溜められた塵埃がノズル差込口から飛散するのを防ぐ効果をさらに向上させることができる。
【００１５】
第１１の発明にかかる空気調和装置は、第５〜第１０の発明のいずれかにかかる空気調和装置において、ダストボックスには、掃除機の吸引力によって弾性変形可能な素材からなる弁が設けられている。
この空気調和装置では、ダストボックスには掃除機の吸引力によって弾性変形可能な素材からなる弁が設けられているため、清掃機構によってダストボックスに溜められた塵埃が差込口から飛散するのを防ぐことができるとともに、ダストボックスに溜められた塵埃をダストボックス内から掃除機に吸引して排出する作業を容易に行うことができる。
【００１６】
第１２の発明にかかる空気調和装置は、第５〜第１１の発明のいずれかにかかる空気調和装置において、ダストボックスは、ノズル差込口に面する第１壁部と、第１壁部に対向する第２壁部と、第１壁部に接する第３壁部とを有している。第２壁部には、複数の空気孔が形成されている。
この空気調和装置では、掃除機のノズルをノズル差込口に差し込んでダストボックス内から塵埃を掃除機に吸引して排出する際に、空気孔を通じてダストボックスの外部から空気を取り入れることができるようになるため、ダストボックス内の圧力が極度に低くなり、塵埃が掃除機の吸引されにくくなるのを防ぐことができる。
【００１７】
第１３の発明にかかる空気調和装置は、第５〜第１１の発明のいずれかにかかる空気調和装置において、ダストボックスは、ノズル差込口に面する第１壁部と、第１壁部に対向する第２壁部と、第１壁部に接する第３壁部とを有している。第３壁部には、複数の空気孔が形成されている。
この空気調和装置では、掃除機のノズルをノズル差込口に差し込んでダストボックス内から塵埃を掃除機に吸引して排出する際に、空気孔を通じてダストボックスの外部から空気を取り入れることができるようになるため、ダストボックス内の圧力が極度に低くなり、塵埃が掃除機の吸引されにくくなるのを防ぐことができる。
【００１８】
第１４の発明にかかる空気調和装置は、第１３の発明にかかる空気調和装置において、空気孔は、第１壁部と第２壁部との中間位置から第２壁部側の位置に形成されている。
この空気調和装置では、空気孔が第１壁部と第２壁部との中間位置から第２壁部側の位置に形成されているため、掃除機のノズルをノズル差込口に差し込んでダストボックス内から塵埃を掃除機に吸引して排出する際に、ダストボックス内に溜められた塵埃によってダストボックスの外部から空気を取り入れる動作が阻害されにくくなる。
【００１９】
第１５の発明にかかる空気調和装置は、第１〜第１１の発明のいずれかにかかる空気調和装置において、ケーシングには、吸入口から吹出口に向かって流れる空気流路が形成されている。ダストボックスは、ケーシング内に配置されており、吸入口から吹出口に至る空気流路に連通する空気孔が形成されており、空気孔が形成された部分が、塵埃が溜められる部分よりも上流側に配置されている。
この空気調和装置では、掃除機のノズルをノズル差込口に差し込んでダストボックス内から塵埃を掃除機に吸引して排出する際に、空気孔を通じてダストボックスの外部から空気を取り入れることができるようになるため、ダストボックス内の圧力が極度に低くなり、塵埃が掃除機の吸引されにくくなるのを防ぐことができる。
しかも、この空気調和装置では、ダストボックスがケーシング内に配置されており、しかも、ダストボックスの空気孔が形成された部分が、塵埃が溜められる部分よりも空気流路の上流側に配置されているため、送風ファンの運転によって、ダストボックス内を負圧にすることができ、これにより、ダストボックス内の塵埃を圧縮して、コンパクトにダストボックス内に溜めることができる。
【００２０】
第１６の発明にかかる空気調和装置は、第１〜第１１の発明のいずれかにかかる空気調和装置において、ケーシングには、吸入口を通じてケーシング内に空気を吸入するための送風ファンが収容されるとともに、吸入口から送風ファンに至る空気の吸入流路が形成されている。ダストボックスは、ケーシング外に配置されており、吸入流路に連通する空気孔が形成されている。
この空気調和装置では、掃除機のノズルをノズル差込口に差し込んでダストボックス内から塵埃を掃除機に吸引して排出する際に、空気孔を通じてダストボックスの外部から空気を取り入れることができるようになるため、ダストボックス内の圧力が極度に低くなり、塵埃が掃除機の吸引されにくくなるのを防ぐことができる。
しかも、この空気調和装置では、ダストボックスがケーシング外に配置されており、しかも、空気孔が吸入流路に連通しているため、送風ファンの運転によって、ダストボックス内を負圧にすることができ、これにより、ダストボックス内の塵埃を圧縮して、コンパクトにダストボックス内に溜めることができる。
【００２１】
第１７の発明にかかる空気調和装置は、第５〜第１４の発明のいずれかにかかる空気調和装置において、ダストボックスは、ケーシングから取り外し可能であり、清掃機構によってフィルタから除去される塵埃が、塵埃導入ホースを介して導入されるように設けられている。
この空気調和装置では、ダストボックスと清掃機構とが塵埃導入ホースを介して接続されており、ダストボックスを天井の点検口又はその近傍に配置することができるため、掃除機のノズルをノズル差込口に差し込む作業を容易に行うことができる。
【００２２】
第１８の発明にかかる空気調和装置は、第１〜第４の発明のいずれかにかかる空気調和装置において、ダストボックスには、内部に溜められる塵埃を天井に設けられた点検口まで導出するための塵埃導出ホースが接続されている。塵埃導出ホースの点検口側の先端には、掃除機のノズルを差し込むことが可能なノズル差込口が形成されている。
この空気調和装置では、ダストボックスには内部に溜められる塵埃を天井に設けられた点検口まで導出するための塵埃導出ホースが接続されており、しかも、塵埃導出ホースの点検口側の先端に掃除機のノズルを差し込むことが可能なノズル差込口が形成されているため、掃除機のノズルをノズル差込口に差し込むという簡単な作業により、ダストボックスに溜められた塵埃をダストボックス内から掃除機に吸引して排出することができる。しかも、ダストボックスに溜められる塵埃を掃除機によって吸引し排出するために必要なノズル差込口を、天井の点検口又はその近傍に配置することができるため、掃除機のノズルをノズル差込口に差し込む作業を容易に行うことができる。
【００２３】
第１９の発明にかかる空気調和装置は、第１〜第３の発明のいずれかにかかる空気調和装置において、ダストボックスは、着脱自在にケーシングに設けられている。
この空気調和装置では、ダストボックスが着脱自在にケーシングに設けられているため、塵埃が溜まったダストボックスをケーシングから取り外して、ダストボックス内の塵埃を排出することができる。
【発明の効果】
【００２４】
以上の説明に述べたように、本発明によれば、以下の効果が得られる。
第１の発明では、フィルタを取り外すことなく、ケーシングの吸入口に設けられたフィルタから塵埃を除去し、除去された塵埃をダストボックスに溜めることができるため、吸入口に設けられたフィルタの掃除に要する労力を減らすことができる。
第２の発明では、ダストボックスが、吸入口から吹出口に向かう空気の流れを妨げにくくなっている。
【００２５】
第３の発明では、天井の点検口を開けることによって、ダストボックスに容易にアクセスすることができる。
第４の発明では、ケーシング内に収容された機器を点検する際に、ケーシング蓋とともにダストボックスを取り外すことができる。
第５の発明では、天井に設けられた点検口を開けて掃除機のノズルをノズル差込口に差し込む作業を容易に行うことができる。
【００２６】
この空気調和装置では、天井に設けられた点検口を開けて掃除機のノズルをノズル差込口に差し込むという簡単な作業により、ダストボックスに溜められた塵埃をダストボックス内から掃除機に吸引して排出することができる。
第６の発明では、掃除機によってダストボックスに溜められた塵埃を吸引する作業を行うまで、清掃機構によってダストボックスに溜められた塵埃がノズル差込口から飛散するのを防ぐことができる。
【００２７】
第７の発明では、開閉蓋の閉め忘れを防ぐことができる。
第８の発明では、開閉蓋が開く際にダストボックスに溜められた塵埃がこぼれ落ちるのを防ぐことができる。
第９の発明では、掃除機のノズルをノズル差込口から抜き出すことによって開閉蓋を閉じることができる。
【００２８】
第１０の発明では、清掃機構によってダストボックスに溜められた塵埃がノズル差込口から飛散するのを防ぐ効果をさらに向上させることができる。
第１１の発明では、清掃機構によってダストボックスに溜められた塵埃が差込口から飛散するのを防ぐことができるとともに、ダストボックスに溜められた塵埃をダストボックス内から掃除機に吸引して排出する作業を容易に行うことができる。
【００２９】
第１２の発明では、掃除機のノズルをノズル差込口に差し込んでダストボックス内から塵埃を掃除機に吸引して排出する際に、ダストボックス内の圧力が極度に低くなり、塵埃が掃除機の吸引されにくくなるのを防ぐことができる。
第１３の発明では、掃除機のノズルをノズル差込口に差し込んでダストボックス内から塵埃を掃除機に吸引して排出する際に、ダストボックス内の圧力が極度に低くなり、塵埃が掃除機の吸引されにくくなるのを防ぐことができる。
【００３０】
第１４の発明では、掃除機のノズルをノズル差込口に差し込んでダストボックス内から塵埃を掃除機に吸引して排出する際に、ダストボックス内に溜められた塵埃によってダストボックスの外部から空気を取り入れる動作が阻害されにくくなる。
第１５の発明では、掃除機のノズルをノズル差込口に差し込んでダストボックス内から塵埃を掃除機に吸引して排出する際に、ダストボックス内の圧力が極度に低くなり、塵埃が掃除機の吸引されにくくなるのを防ぐことができるとともに、送風ファンの運転によって、ダストボックス内を負圧にすることができ、これにより、ダストボックス内の塵埃を圧縮して、コンパクトにダストボックス内に溜めることができる。
【００３１】
第１６の発明では、掃除機のノズルをノズル差込口に差し込んでダストボックス内から塵埃を掃除機に吸引して排出する際に、ダストボックス内の圧力が極度に低くなり、塵埃が掃除機の吸引されにくくなるのを防ぐことができるとともに、送風ファンの運転によって、ダストボックス内を負圧にすることができ、これにより、ダストボックス内の塵埃を圧縮して、コンパクトにダストボックス内に溜めることができる。
【００３２】
第１７の発明では、掃除機のノズルをノズル差込口に差し込む作業を容易に行うことができる。
第１８の発明では、掃除機のノズルをノズル差込口に差し込むという簡単な作業により、ダストボックスに溜められた塵埃をダストボックス内から掃除機に吸引して排出することができ、また、掃除機のノズルをノズル差込口に差し込む作業も容易である。
【００３３】
第１９の発明では、塵埃が溜まったダストボックスをケーシングから取り外して、ダストボックス内の塵埃を排出することができる。
【発明を実施するための最良の形態】
【００３４】
以下、図面に基づいて、本発明にかかるダクト型の空気調和装置の実施形態について説明する。
（１）ダクト型の空気調和装置の基本構成
図１に本発明の一実施形態にかかるダクト型の空気調和装置１の概略側面断面図を示す。この空気調和装置１は、空調室の天井面Ｕの上側に形成された天井裏空間Ｓに配置することが可能な、いわゆる、ダクト構造のものであり、主として、ケーシング２と、熱交換器３と、送風ファン４とを備えている。尚、図中のＯは、送風ファン４の回転中心を示している。
【００３５】
ケーシング２は、内部に熱交換器３及び送風ファン４を収容する略矩形箱状の部材であり、背面２１（図１の紙面右側の面）に吸入口２１ａと、前面２２（図１の紙面左側の面）に吹出口２２ａが形成されている。吸入口２１ａ及び吹出口２２ａは、本実施形態において、略矩形状の開口である。吸入口２１ａには、吸入口２１ａから吸入される空気中の塵埃を捕集するフィルタ５が設けられている。そして、フィルタ５が設けられた吸入口２１ａには吸入ダクト６が接続され、吹出口２２ａには吹出ダクト７が接続されている。このように、ケーシング２の内部には、吸入口２１ａから吹出口２２ａに至る空気通路２ａが形成されている。
【００３６】
熱交換器３は、空気流路２ａ内の吸入口２１ａ寄りに配置されており、吸入口２１ａから吸入された空気を加熱又は冷却するための機器である。熱交換器３は、本実施形態において、クロスフィンチューブ式の熱交換器であり、その上部が吹出口２２ａ側に斜めに傾斜するように配置されている。そして、熱交換器３の下側には、ドレンパン８が配置されており、熱交換器３で発生した結露水を受けることができるようになっている。
【００３７】
送風ファン４は、空気流路２ａ内の吹出口２２ａ寄りに配置されており、熱交換器３を通過した空気を吸入して昇圧し、吹出口２２ａから吹き出すための機器である。送風ファン４は、本実施形態において、シロッコファンであり、渦巻形状の断面を有するスクロールケーシング４１と、スクロールケーシング４１内に配置される羽根車４２と、羽根車４２を回転駆動するファンモータ４３とを有している。スクロールケーシング４１は、熱交換器３を通過した空気が流入するスクロール吸入口４１ａと、吹出口２２ａに向かって空気を吹き出すように形成されたスクロール吹出口４１ｂとを有している。このように、スクロールケーシング４１は、空気流路２ａの一部を構成している。ここで、空気流路２ａのうち吸入口２１ａから送風ファン４のスクロールケーシング４１の吸入口４１ａに至るまでの流路を吸入流路２ｂとし、空気流路２ａのうちスクロールケーシング４１の吸入口４１ａから吹出口２２ａに至るまでの流路を吹出流路２ｃとする。羽根車４２は、本実施形態において、ファンモータ４３によって回転駆動される円板４２ａと、円板４２ａの外周部に並んで配置された多数枚の翼４２ｂ（図１では、翼４２ｂの数枚のみを図示）とを有するシロッコファン用の羽根車であり、スクロールケーシング４１内に配置されている。
【００３８】
（２）空気調和装置の空調運転動作
次に、空気調和装置１の空調運転動作について、図１を用いて説明する。
運転を開始すると、ファンモータ４３が駆動されて、送風ファン４の羽根車４２が回転する。また、ファンモータ４３の駆動とともに、熱交換器３内には、室外ユニット（図示せず）から冷媒が供給される。ここで、熱交換器３は、冷房運転時には蒸発器として、暖房運転時には凝縮器として作用する。そして、羽根車４２の回転に伴って、ケーシング２の吸入流路２ｂ内の空気は、スクロール吸入口４１ａからスクロールケーシング４１内に吸入されて羽根車４２によって昇圧された後、スクロール吹出口４１ｂ及び吹出口２２ａから吹出ダクト７内に吹き出される。これにより、吸入ダクト６内の空気は、吸入流路２ａを通じて吸入口２１ａからケーシング２内に吸入される。この吸入された空気は、熱交換器３に達し、熱交換器３を通過する際に冷却又は加熱される。
【００３９】
すなわち、この空気調和装置１では、吸入ダクト６内の空気が、吸入口２１ａからケーシング２内に流入して熱交換器３を通過し、さらに、スクロール吸入口４１ａからスクロールケーシング４１内に吸入されて羽根車４２によって昇圧された後、スクロール吹出口４１ｂ及び吹出口２２ａから吹出ダクト７内に吹き出されるという空気の流れが形成される。
【００４０】
そして、このような空調運転を長時間行うと、フィルタ５に塵埃が堆積して吸入口２１ａにおける圧力損失が大きくなり、性能低下等の原因となる。このため、フィルタ５に捕集された塵埃を除去する必要があるが、本実施形態の空気調和装置１では、フィルタ５をケーシング２から取り外すことなく、フィルタ５から塵埃を除去することができるようになっている。以下、本実施形態の空気調和装置１のフィルタ５が捕集した塵埃を除去するための構造及び清掃動作について説明する。
【００４１】
（３）フィルタ、清掃機構及びダストボックスの構成
上述のような基本構成を有する空気調和装置１では、図２〜図６に示されるように、フィルタ５が枠部材５１と枠部材５１に蛇行した状態で保持される濾過部材５２とを有する構造になっており、そして、フィルタ５（すなわち、濾過部材５２）が上述の空調運転中に捕集した塵埃をフィルタ５から除去する清掃機構９と、清掃機構９によって除去される塵埃を溜めるダストボックス１１とが設けられている。ここで、図２は、空気調和装置１の概略平面断面図（但し、熱交換器３については天板２３を取り除いた状態を図示）である。図３は、空気調和装置１の概略側面図であって、図２をＡ方向から見た図である。図４は、空気調和装置１の概略背面図であって、図２をＢ方向から見た図である。図５は、フィルタ５のスプロケット５３付近の構造を示す斜視図である。図６は、清掃機構９及びダストボックス１１の概略断面図であって、図３のＣ−Ｃ断面図である。
【００４２】
フィルタ５を構成する濾過部材５２は、略矩形状の断面を有する帯状の心材５２ａを有している。心材５２ａは、柔軟性材料により湾曲自在に形成された部材である。また、心材５２ａには、濾過部材５２を回転支持するスプロケット５３の歯部５３ｂを係合させるための係合孔５２ｂが一定間隔で多数形成されている。そして、心材５２ａの吸入ダクト６側の部分に松葉状の毛状部材５２ｃが植毛されている。
【００４３】
フィルタ５を構成する枠部材５１は、その背面視（すなわち、吸入口２１ａ側から見た場合）において、ケーシング２の天板２３、下板２４及び側板２５、２６に沿うように、かつ、吸入口２１ａの周囲を囲むように配置された略矩形状の部材であり、ケーシング２に固定されて、ケーシング２の天面、下面及び側面を構成している。そして、このような枠部材５１には、濾過部材５２を蛇行した状態で配置しかつ濾過部材５２を循環移動させるために、スプロケット５３が配置されており、他の濾過部材５２の曲がり部には心材５２ａの表面に接触して心材５２ａを支持するローラ状の支持部材５４が設けられている。
【００４４】
スプロケット５３は、円柱状の本体部５３ａの周囲に係合孔５２ｂに係合するために歯部５３ｂが形成されている。また、本体部５３ａの中心には、回転軸５３ｃが設けられている。また、回転軸５３ｃがモータ（図示せず）により、矢印方向に回転駆動されることにより、スプロケット５３の歯部５３ｂが係合孔５２ｂに係合して、濾過部材５２を、蛇行した状態を保持しながら矢印方向に循環移動させることができるようになっている。
【００４５】
清掃機構９は、ケーシング２の側面（具体的には、側板２６）の上下方向略中央に配置されており、主として、濾過部材５２の毛状部材５２ｃに捕集された塵埃を払い落とす本体部９１からなる。本体部９１には、濾過部材５２が通過する通路９２が設けられており、この通路９２の途中複数個所に接触部９３が配置されている。この接触部９３は、濾過部材５２を通過させる狭い通路を形成しており、この通路を形成する壁部の角部に毛状部材５２ｃを押し当てながら移動させることにより、毛状部材５２ｃに捕集された塵埃を払い落とすことができるようになっている。尚、本実施形態において、清掃機構９は濾過部材５２の曲がり部に配置されているため、清掃機構９が配置された濾過部材５２の曲がり部に設けられた支持部材５４は、清掃機構９の通路９２内に配置されている。
【００４６】
ダストボックス１１は、清掃機構９の本体部９１に接続されており、接触部９３によって払い落とされた塵埃を溜める容器である。本実施形態において、ダストボックス１１は、ケーシング２の側面（具体的には、側板２６）に設けられている。より具体的には、ダストボックス１１は、清掃機構９の外側であって、背面視においてケーシング２の側板２６の外面に沿うように配置されている。また、ダストボックス１１は、清掃機構９の本体部９１に着脱自在に接続されている。
【００４７】
ここで、本実施形態の空気調和装置１においては、制御Ｐ板等を含む各種電気部品が収納された電装品箱１０が側板２６の吹出口２２ａ寄りに設けられている。また、側板２６には、ケーシング２内に収容された熱交換器３や送風ファン４等の機器を点検する際に開けることが可能なケーシング蓋２６ａが設けられている。ここでは、側板２６の周縁部を除くほぼ全部がケーシング蓋２６ａとなっており、点検時に取り外すことが可能になっている。そして、天井面Ｕの側板２６付近には、点検口Ｕ１が配置されており、電装品箱１０やケーシング蓋２６ａへのアクセスが容易になっている。尚、本実施形態では、ダストボックス１１は、側板２６のケーシング蓋２６ａではない部分に着脱自在に設けられている。
【００４８】
そして、ダストボックス１１は、本実施形態において、略角筒形状の容器であり、その下面を構成する第１壁部１２には、掃除機のノズル２０を差し込むことが可能なノズル差込口１３が下向きに形成されている。このノズル差込口１３には、掃除機のノズル２０を差し込むことによって開き、かつ、掃除機のノズル２０を抜き出すことによって閉じる開閉蓋１４が設けられている。この開閉蓋１４は、ダストボックス１１の第１壁部１２に上下方向に開閉可能になるように軸支された一対の板状部材であり、掃除機のノズル２０をノズル差込口１３に下方から差し込むことによって、開閉蓋１４が掃除機のノズル２０の先端によって上方に押されて開き、ノズル差込口１３の傾斜面１３ａに掃除機のノズル２０をノズル差込口１３から下方に抜き出すことによって、掃除機のノズル２０の先端によって上方に押される力が解除されて開閉蓋１４が自重により閉まり、ノズル差込口１３の開閉蓋１４の下側に配置されたストッパー部１５に当接する。このストッパー部１５は、掃除機のノズルの内面に嵌るようにノズル差込口１３の最下部に形成されている。また、ダストボックス１１には、掃除機の吸引力によって弾性変形可能な素材からなる内弁１６が設けられている。内弁１６は、開閉蓋１４の上側に設けられている。内弁１６の素材としては、軟質のゴムやラバーを用いることができる。また、ダストボックス１１の上面を構成するとともに第１壁部１２に対向するように配置された第２壁部１７には、ケーシング２の外側（すなわち、天井裏空間Ｓ）に連通する複数の空気孔１７ａが形成されている。ここで、これらの空気孔１７ａは、直径５ｍｍ以下の略円形である。さらに、ダストボックス１１の側面を構成するとともに第１壁部１２及び第２壁部１７に接する第３壁部１８の上部は、清掃機構９の本体部９１に連通しており、清掃機構９の接触部９３によって払い落とされた塵埃が導入できるようになっている。
【００４９】
（４）フィルタの清掃動作
次に、空気調和装置１のフィルタ５の清掃動作について、図２及び図４〜６を用いて説明する。
空気調和装置１の空調運転を所定時間行った後、自動的に又は手動操作により、フィルタ５のモータ（図示せず）を駆動し、スプロケット５３を回転させて濾過部材５２を循環移動させる。すると、濾過部材５２が清掃機構９の通路９２を通過し、この通過の際に、接触部９３によってフィルタ５の毛状部材５２ｃに捕集された塵埃が払い落とされて、ダストボックス１１内に溜まる。すなわち、清掃機構９によりフィルタ５が捕集した塵埃をフィルタ５から除去し、ダストボックス１１に清掃機構９によって除去された塵埃を溜めることができる。
【００５０】
次に、ダストボックス１１に塵埃が溜まったら、天井面Ｕの点検口Ｕ１を開けて掃除機のノズル２０をノズル差込口１３に下方から差し込むことによって、開閉蓋１４を掃除機のノズル２０の先端によって上方に押して開き、掃除機を運転してダストボックス１１内に溜まった塵埃をダストボックス１１内から掃除機に吸引する。このとき、内弁１６が掃除機の吸引力によって弾性変形するため（図６参照）、ダストボックス１１内に溜まった塵埃がダストボックス１１内から速やかに排出されて掃除機に吸引される。また、このとき、掃除機の吸引力によってダストボックス１１内の空気が排出されてダストボックス１１の圧力が低くなる傾向になるが、本実施形態の空気調和装置１では、ダストボックス１１の第２壁部１７に空気孔１７ａが設けられているため、掃除機による吸引作業中に、ダストボックス１１内にケーシング２の外部から空気が取り込まれることとなり、過度にダストボックス内の圧力が極度に低くなって塵埃が掃除機の吸引されにくくなるのを防ぐことができるようになっている。
【００５１】
そして、ダストボックス１１内に溜まった塵埃をダストボックス１１内から排出して掃除機に吸引する作業が終了したら、掃除機の運転を停止し、掃除機のノズル２０をノズル差込口１３から抜き出す。これにより、掃除機の吸引力が内弁１６に作用しない状態になるため、内弁１６が閉じられる。また、掃除機のノズル２０によって開閉蓋１４が上方に押し上げる力が作用しない状態になるため、自重により開閉蓋１４が閉じられる。
【００５２】
また、本実施形態の空気調和装置１に設けられたダストボックス１１は、ケーシング２の側面（ここでは、側板２６）に着脱自在に設けられており、また、清掃機構９の本体部９１に着脱自在に接続されているため、ダストボックス１１をケーシング２の側板２６及び清掃機構９の本体部９１から取り外して、掃除機を使用することなく、内部に溜まった塵埃を排出することも可能である。
【００５３】
（５）本実施形態の空気調和装置の特徴
本実施形態の空気調和装置１、特に、フィルタ５、清掃機構９及びダストボックス１１には、以下のような特徴がある。
（Ａ）
本実施形態の空気調和装置１では、フィルタ５が枠部材５１と枠部材５１に蛇行した状態で保持されて循環移動可能な濾過部材５２とを有する構造になっており、そして、フィルタ５の濾過部材５２が空調運転中に捕集した塵埃を濾過部材５２から除去する清掃機構９が設けられているため、フィルタ５を取り外すことなく、ケーシング２の吸入口２１ａに設けられたフィルタ５から塵埃を除去し、除去された塵埃をダストボックス１１に溜めることができる。これにより、このダクト型の空気調和装置１では、吸入口２１ａに設けられたフィルタ５の掃除に要する労力を減らすことができる。
【００５４】
また、ダストボックス１１は、ケーシング２の側面（ここでは、側板２６）に設けられているため、吸入口２１ａから吹出口２２ａに向かう空気の流れ（すなわち、空気流路２ａ内における空気の流れ）を妨げにくくなっている。しかも、ダストボックス１１は、ケーシング２内に収容された熱交換器３や送風ファン４等の機器を点検する際に開けられるケーシング蓋２６ａが設けられたケーシング２の側面（ここでは、側板２６）に設けられているため、天井Ｕの点検口Ｕ１を開けることによって、ダストボックス１１に容易にアクセスすることができるようになっている。
【００５５】
（Ｂ）
本実施形態の空気調和装置１では、ダストボックス１１に、掃除機のノズル２０を差し込むことが可能なノズル差込口１３が下向きに形成されているため、天井Ｕに設けられた点検口Ｕ１を開けて掃除機のノズル２０をノズル差込口１３に差し込むという簡単な作業により、ダストボックス１１に溜められた塵埃をダストボックス１１内から掃除機に吸引して排出することができる。
【００５６】
（Ｃ）
本実施形態の空気調和装置１では、ノズル差込口１３に掃除機のノズル２０を差し込むことによって開く開閉蓋１４が設けられているため、掃除機によってダストボックス１１に溜められた塵埃を吸引する作業を行うまで、清掃機構９によってダストボックス１１に溜められた塵埃がノズル差込口１３から飛散するのを防ぐことができる。
【００５７】
しかも、開閉蓋１４は、上向きに開くようになっているため、開閉蓋１４が開く際にダストボックス１１に溜められた塵埃がこぼれ落ちるのを防ぐことができる。
また、開閉蓋１４は、掃除機のノズル２０をノズル差込口１３から抜き出すことによって閉じるようになっている。ここでは、開閉蓋１４は自重によって閉じるようになっている。これにより、本実施形態の空気調和装置１では、開閉蓋１４の閉め忘れを防ぐことができる。
【００５８】
本実施形態の空気調和装置１では、ダストボックス１１に、掃除機の吸引力によって弾性変形可能な素材（例えば、軟質のゴムやラバー等）からなる内弁１６が設けられているため、清掃機構９によってダストボックス１１に溜められた塵埃がノズル差込口１３からこぼれ落ちるのを防ぐことができるとともに、ダストボックス１１に溜められた塵埃をダストボックス１１内から掃除機に吸引して排出する作業を容易に行うことができる。
【００５９】
本実施形態の空気調和装置１では、ノズル差込口１３に面する第１壁部１２に対向する第２壁部１７に、複数の空気孔１７ａが形成されており、掃除機のノズル２０をノズル差込口１３に差し込んでダストボックス１１内から塵埃を掃除機に吸引して排出する際に、空気孔１７ａを通じてダストボックス１１の外部から空気を取り入れることができるようになっているため、ダストボックス１１内の圧力が極度に低くなり、塵埃が掃除機の吸引されにくくなるのを防ぐことができる。
【００６０】
しかも、これらの空気孔１７ａは、直径５ｍｍ以下の略円形であるため、掃除機のノズルをノズル差込口１３に差し込んでダストボックス１１内から塵埃を掃除機に吸引して排出する際に、空気孔１７ａを通じてダストボックス１１の外部から空気を十分に取り入れることができるとともに、空気孔１７ａを通じてダストボックス１１内に溜められた塵埃がダストボックス１１の外部に飛散するのを極力防ぐことができる。
（Ｄ）
本実施形態の空気調和装置１では、ダストボックス１１が着脱自在にケーシング２に設けられているため、塵埃が溜まったダストボックス１１をケーシング２から取り外して、ダストボックス１１内の塵埃を排出することができる。
【００６１】
（６）変形例１
上述の実施形態にかかる空気調和装置１では、ダストボックス１１が、ケーシング２内に収容された機器を点検する際に開けられるケーシング蓋２６ａが設けられた側面（ここでは、側板２６）であって、この側面のケーシング蓋２６ａではない部分に設けられているが、図７に示されるように、掃除機のノズル２０の差し込み方向に並んで２組設けるようにしてもよい。
【００６２】
本変形例にかかる空気調和装置１では、ダストボックス１１がケーシング蓋２６ａと一体に設けられているため、ケーシング２内に収容された熱交換器３や送風ファン４等の機器を点検する際に、ケーシング蓋２６ａとともにダストボックス１１を取り外すことができる。
【００６３】
（７）変形例２
上述の実施形態及び変形例１にかかる空気調和装置１では、ダストボックス１１のノズル差込口１３が下向きに形成されているが、図８及び図９に示されるように、ノズル差込口１３が水平向きに形成されていてもよい。
より具体的には、本変形例にかかるダストボックス１１は、上述の実施形態及び変形例１と同様に、清掃機構９の本体部９１に接続されており、接触部９３によって払い落とされた塵埃を溜める容器である。本変形例において、ダストボックス１１は、ケーシング２の側面（具体的には、側板２６）に設けられている。
そして、ダストボックス１１は、本実施形態において、略角筒形状の容器であり、その一側面を構成する第１壁部１２には、掃除機のノズル２０を差し込むことが可能なノズル差込口１３が下向きに形成されている。このノズル差込口１３には、掃除機のノズル２０を差し込むことによって開き、かつ、掃除機のノズル２０を抜き出すことによって閉じる開閉蓋１４が設けられている。この開閉蓋１４は、第１実施形態及び変形例１の開閉蓋１４と異なり、ダストボックス１１の第１壁部１２に上下方向に開閉可能になるように軸支された板状部材であり、掃除機のノズル２０をノズル差込口１３に側方から差し込むことによって、開閉蓋１４が掃除機のノズル２０の先端によって上方に押されて開き、ノズル差込口１３の傾斜面１３ａに掃除機のノズル２０をノズル差込口１３から差し込み方向と反対に抜き出すことによって、掃除機のノズル２０の先端によって上方に押される力が解除されて開閉蓋１４が自重により閉まり、ノズル差込口１３の開閉蓋１４の側方に配置されたストッパー部１５に当接する。このストッパー部１５は、掃除機のノズルの内面に嵌るようにノズル差込口１３の側端部に形成されている。また、ダストボックス１１には、掃除機の吸引力によって弾性変形可能な素材からなる内弁１６が設けられている。内弁１６は、開閉蓋１４の内側（すなわち、掃除機のノズル２０の差込方向側）に設けられている。内弁１６の素材としては、軟質のゴムやラバーを用いることができる。また、ダストボックス１１の他側面を構成するとともに第１壁部１２に対向するように配置された第２壁部１７には、ケーシング２の外側（すなわち、天井裏空間Ｓ）に連通する複数の空気孔１７ａが形成されている。ここで、これらの空気孔１７ａは、直径５ｍｍ以下の略円形である。さらに、ダストボックス１１の側面を構成するとともに第１壁部１２及び第２壁部１７に接する第３壁部１８の上部は、清掃機構９の本体部９１（本変形例では、第２壁部１７寄りの部分）に連通しており、清掃機構９の接触部９３（図９には図示せず）によって払い落とされた塵埃が導入できるようになっている。
本変形例にかかる空気調和装置１においても、第１実施形態及び変形例１にかかる空気調和装置１と同様、天井Ｕに設けられた点検口Ｕ１を開けて掃除機のノズル２０をノズル差込口１３に差し込むという簡単な作業により、ダストボックス１１に溜められた塵埃をダストボックス１１内から掃除機に吸引して排出することができる。
【００６４】
（８）変形例３
上述の実施形態及び変形例１、２にかかる空気調和装置１では、ダストボックス１１のノズル差込口１３に開閉蓋１４が１つ設けられているが、掃除機のノズル２０の差し込み方向に並んで２つ設けるようにしてもよい。例えば、ノズル差込口１３がダストボックス１１の下面に形成される場合を例にすると、図１０に示されるように、開閉蓋１４の下側に開閉蓋１１４を配置することができる。ここで、開閉蓋１４の下側に配置される開閉蓋１１４には、開閉蓋１４の下面に当接する突起１１４ａが形成されており、掃除機のノズル２０を下方から差し込んで開閉蓋１１４を上方に押して開く際に、同時に、突起１１４ａによって開閉蓋１４の下面を押して開くことができるようになっている。
本変形例にかかる空気調和装置１では、開閉蓋１４、１１４が掃除機のノズル２０の差し込み方向に並んで２つ設けられているため、清掃機構９によってダストボックス１１に溜められた塵埃がノズル差込口１３からこぼれ落ちるのを防ぐ効果をさらに向上させることができる。
【００６５】
（９）変形例４
上述の実施形態及び変形例１〜３にかかる空気調和装置１では、ダストボックス１１の上面を構成する第２壁部１７にケーシング２の外側に連通する複数の空気孔１７ａが形成されているが、第２壁部１７に複数の空気孔１７ａを形成することに代えて、又は、第２壁部１７に複数の空気孔１７ａを形成するとともに、ダストボックス１１の側面を構成する第３壁部１８にケーシング２の外側に連通する複数の空気孔１８ａを形成するようにしてもよい。
【００６６】
例えば、ノズル差込口１３がダストボックス１１の下面に形成され、かつ、開閉蓋１４が１つ設けられる場合を例にすると、図１１又は図１２に示されるように、第２壁部１７に複数の空気孔１７ａを形成することに代えて、又は、第２壁部１７に複数の空気孔１７ａを形成するとともに、ダストボックス１１の側面を構成する第３壁部１８にケーシング２の外側に連通する複数の空気孔１８ａを形成することができる。ここで、複数の空気孔１８ａは、第１壁部１２と第２壁部１７との中間位置から第２壁部１７側の位置（すなわち、第２壁部１７の内面から下方に第１壁部１２の内面と第２壁部１７の内面との距離ｈの半分までの位置）に形成されている。また、これらの空気孔１８ａは、上述の実施形態及び変形例１と同様、直径５ｍｍ以下の略円形である。
【００６７】
本変形例にかかる空気調和装置１では、ノズル差込口１３に面する第１壁部１２に接する第３壁部１８に、複数の空気孔１８ａが形成されており、掃除機のノズル２０をノズル差込口１３に差し込んでダストボックス１１内から塵埃を掃除機に吸引して排出する際に、空気孔１８ａを通じてダストボックス１１の外部から空気を取り入れることができるようになっているため、ダストボックス１１内の圧力が極度に低くなり、塵埃が掃除機の吸引されにくくなるのを防ぐことができる。しかも、空気孔１８ａは、第１壁部１２と第２壁部１７との中間位置から第２壁部１７側の位置に形成されているため、掃除機のノズル２０をノズル差込口１３に差し込んでダストボックス１１内から塵埃を掃除機に吸引して排出する際に、ダストボックス１１内に溜められた塵埃によってダストボックス１１の外部から空気を取り入れる動作が阻害されにくくなる。
【００６８】
また、ノズル差込口１３がダストボックス１１の側面に形成され、かつ、開閉蓋１４が１つ設けられる場合を例にすると、図１３又は図１４に示されるように、第２壁部１７に複数の空気孔１７ａを形成することに代えて、又は、第２壁部１７に複数の空気孔１７ａを形成するとともに、ダストボックス１１の第１及び第２壁部１２、１７の周囲の面を構成する第３壁部１８にケーシング２の外側に連通する複数の空気孔１８ａを形成することができる。ここで、複数の空気孔１８ａは、第３壁部１８の上面を構成する部分と下面を構成する部分との中間位置から上面側の位置（すなわち、第３壁部１８の上面を構成する部分の内面から、第３壁部１８の上面を構成する部分の内面と第３壁部１８の下面を構成する部分の内面との距離ｈの半分までの位置）に形成されている。また、これらの空気孔１８ａは、上述の実施形態及び変形例１と同様、直径５ｍｍ以下の略円形である。
【００６９】
本変形例にかかる空気調和装置１では、ノズル差込口１３に面する第１壁部１２に接する第３壁部１８に、複数の空気孔１８ａが形成されており、掃除機のノズル２０をノズル差込口１３に差し込んでダストボックス１１内から塵埃を掃除機に吸引して排出する際に、空気孔１８ａを通じてダストボックス１１の外部から空気を取り入れることができるようになっているため、ダストボックス１１内の圧力が極度に低くなり、塵埃が掃除機の吸引されにくくなるのを防ぐことができる。しかも、空気孔１８ａは、第３壁部１８の上面を構成する部分と下面を構成する部分との中間位置から上面側の位置に形成されているため、掃除機のノズル２０をノズル差込口１３に差し込んでダストボックス１１内から塵埃を掃除機に吸引して排出する際に、ダストボックス１１内に溜められた塵埃によってダストボックス１１の外部から空気を取り入れる動作が阻害されにくくなる。
【００７０】
（１０）変形例５
上述の実施形態及び変形例１〜４にかかる空気調和装置１では、ダストボックス１１に空気孔１７ａ、１８ａを形成し、ダストボックス１１をケーシング２の外側に連通させることによって、掃除機のノズル２０をノズル差込口１３に差し込んでダストボックス１１内から塵埃を掃除機に吸引して排出する際に、ダストボックス１１内の圧力が極度に低くなり、塵埃が掃除機の吸引されにくくなるのを防ぐようにしているが、これらの空気孔１７ａ、１８ａを吸入流路２ｂに連通するように形成してもよい。例えば、変形例４にかかるダストボックス１１の第３壁部１８に空気孔１８ａを形成する場合（図１１参照）を例にすると、図１４に示されるように、第３壁部１８の吸入流路２ｂに面する位置に空気孔１８ａを形成することによって、ダストボックス１１と吸入流路２ｂとを連通させることができる。
【００７１】
本変形例にかかる空気調和装置１では、第３壁部１８の吸入流路２ｂに面する位置に吸入流路２ａに連通する空気孔１８ａが形成されており、掃除機のノズル２０をノズル差込口１３に差し込んでダストボックス１１内から塵埃を掃除機に吸引して排出する際に、空気孔１９ａを通じてダストボックス１１の外部から空気を取り入れることができるようになるため、上述の実施形態及び変形例１〜４と同様に、ダストボックス１１内の圧力が極度に低くなり、塵埃が掃除機の吸引されにくくなるのを防ぐことができる。
しかも、これらの空気孔１８ａは吸入流路２ｂに連通しているため、送風ファン４の運転によって、ダストボックス１１内を負圧にすることができ、これにより、ダストボックス１１内の塵埃を圧縮して、コンパクトにダストボックス１１内に溜めることができる。
【００７２】
（１１）変形例６
上述の実施形態及び変形例１〜５にかかる空気調和装置１では、ダストボックス１１がケーシング２の側面（具体的には、側板２６）の外面（すなわち、ケーシング２外）に設けられているが、ケーシング２内に設けられていてもよい。例えば、変形例２にかかる横長のダストボックス１１（図９参照）を例にすると、図１６及び図１７に示されるように、ダストボックス１１をケーシング２の側面（具体的には、側板２６）の内面（すなわち、ケーシング２内）に設けるとともに、ノズル差込口１３を下向きに設けて下板２４を貫通させることができる。尚、ここでは図示しないが、ノズル差込口１３を下向きではなく、水平向きに設けて側板２６を貫通させるようにしてもよい。また、本変形例のダストボックス１１の第３壁部１８には、複数の空気孔１８ａが形成されている。
【００７３】
本変形例にかかる空気調和装置１においても、上述の実施形態及び変形例１〜４と同様な効果を得ることができる。
尚、本変形例のダストボックス１１では、空気孔１８ａが、ダストボックス１１内の空間のうち清掃機構９寄りの部分に対応する壁部（ここでは、第３壁部１８の清掃機構９寄りの部分）に形成されており、そして、この部分が、ダストボックス１１内の空間のうちノズル差込口１３寄りの部分よりも上流側に配置されている。ダストボックス１１のノズル差込口１３寄りの部分には、主として、清掃機構９によってフィルタ５から除去された塵埃が溜められることになるが、この部分に対して清掃機構９寄りの部分が空気流路２ａの上流側に配置されることによって、送風ファン４の運転によって、ダストボックス１１内を負圧にすることができ、これにより、ダストボックス１１内の塵埃を圧縮して、コンパクトにダストボックス１１内に溜めることができるようになっている。
【００７４】
（１２）変形例７
上述の実施形態及び変形例１〜６にかかる空気調和装置１では、ダストボックス１１がケーシング２（具体的には、側板２６）に設けられているが、ダストボックス１１がケーシング２に設けられていなくてもよい。例えば、上述の変形例２にかかるダストボックス１１（図９参照）を例にすると、図１８及び図１９に示されるように、ダストボックス１１をケーシング２（具体的には、側板２６）及び清掃機構９から取り外して天井面Ｕの点検口Ｕ１又はその近傍に設けるとともに、清掃機構９とダストボックス１１との接続部間を、塵埃導入ホースによって接続することができる。また、ダストボックス１１には、空気孔１７ａが形成されており、空気孔１７ａを通じてダストボックス１１の外部（すなわち、天井裏空間Ｓ）から空気を取り入れることができるようになっている。
【００７５】
本変形例にかかる空気調和装置１では、ダストボックス１１がケーシング２から取り外し可能であり、清掃機構９によってフィルタ５から除去される塵埃が、塵埃導入ホース６１を介して導入されるように設けられているため、ダストボックス１１を天井Ｕの点検口Ｕ１又はその近傍に配置することができるようになり、掃除機のノズル２０をノズル差込口に差し込む作業を容易に行うことができる。また、上述の実施形態及び変形例１〜４と同様に、掃除機のノズル２０をノズル差込口１３に差し込んでダストボックス１１内から塵埃を掃除機に吸引して排出する際に、空気孔１７ａを通じてダストボックス１１の外部から空気を取り入れることができるようになっているため、ダストボックス１１内の圧力が極度に低くなり、塵埃が掃除機の吸引されにくくなるのを防ぐことができる。
【００７６】
（１３）変形例８
上述の実施形態及び変形例１〜５にかかる空気調和装置１では、ダストボックス１１がケーシング２（具体的には、側板２６）に設けられており、点検口Ｕ１を開けて、ダストボックス１１のノズル差込口１３に掃除機のノズル２０を差し込むようにしているが、ダストボックス１１のノズル差込口１３を点検口Ｕ１又はその近傍まで延長するホースを設けるようにしてもよい。例えば、上述の実施形態にかかるダストボックス１１（図６参照）を例にすると、図２０及び図２１に示されるように、ダストボックス１１のノズル差込口１３に内部に溜められる塵埃を天井Ｕに設けられた点検口Ｕ１まで導出するための塵埃導出ホース７１を接続し、塵埃導出ホース７１の点検口側の先端に、掃除機のノズル２０を差し込むことが可能なノズル差込口７３を形成することができる。ここで、塵埃導出ホース７１のダストボックス１１側の先端は、掃除機のノズル２０と同じ形状になっており、掃除機のノズル２０を差し込む場合と同様にして、ノズル差込口１３に差し込まれている。また、塵埃導出ホース７１の点検口側の先端の構造は、ダストボックス１１のノズル差込口１３及びその近傍部分の構造と同じである（但し、図２１においては、ノズル差込口７３及びその近傍部分の符号として、ダストボックス１１のノズル差込口１３及びその近傍部分を示す符号１２〜１６の代わりに、符号７２〜７６を使用している）。
【００７７】
本変形例にかかる空気調和装置１では、ダストボックス１１の内部に溜められる塵埃を天井Ｕに設けられた点検口Ｕ１まで導出するための塵埃導出ホース７１が、ダストボックス１１に接続されており、しかも、塵埃導出ホース７１の点検口側の先端に掃除機のノズル２０を差し込むことが可能なノズル差込口７３が形成されており、このノズル差込口７３を、天井Ｕの点検口Ｕ１又はその近傍に配置することができるため、掃除機のノズル２０をノズル差込口７３に差し込む作業を容易に行うことができる。
【００７８】
（１４）他の実施形態
以上、本発明の実施形態について図面に基づいて説明したが、具体的な構成は、これらの実施形態に限られるものではなく、発明の要旨を逸脱しない範囲で変更可能である。
例えば、上述の実施形態及び変形例では、フィルタ５を構成する濾過部材５２が自走し、ダストボックス１１の近傍に設置された清掃機構９を用いて濾過部材５２が捕集した塵埃を除去してダストボックス１１に溜める構成を採用しているが、清掃機構９が自走してフィルタ５から塵埃を除去し、除去された塵埃をダストボックス１１に搬送してダストボックス１１に溜める構成を採用してもよい。
【産業上の利用可能性】
【００７９】
本発明を利用すれば、ダクト型の空気調和装置において、吸入口に設けられたフィルタの掃除に要する労力を減らすことができる。
【図面の簡単な説明】
【００８０】
【図１】本発明の一実施形態にかかる天井設置型の空気調和装置の概略側面断面図である。
【図２】空気調和装置の概略平面断面図（但し、熱交換器については天板を取り除いた状態を図示）である。
【図３】空気調和装置の概略側面図であって、図２をＡ方向から見た図である。
【図４】空気調和装置の概略背面図であって、図２をＢ方向から見た図である。
【図５】フィルタのスプロケットの構造を示す斜視図である。
【図６】清掃機構及びダストボックスの概略断面図であって、図３のＣ−Ｃ断面図である。
【図７】変形例１にかかる空気調和装置の概略側面図であって、図３に対応する図である。
【図８】変形例２にかかる空気調和装置の概略平面断面図であって、図２に対応する図である。
【図９】変形例２にかかる清掃機構及びダストボックスの概略断面図であって、図８のＤ−Ｄ断面図である。
【図１０】変形例３にかかる清掃機構及びダストボックスの概略断面図であって、図６に対応する図である。
【図１１】変形例４にかかる清掃機構及びダストボックスの概略断面図であって、図６に対応する図である。
【図１２】変形例４にかかる清掃機構及びダストボックスの概略断面図であって、図６に対応する図である。
【図１３】変形例４にかかる清掃機構及びダストボックスの概略断面図であって、図９に対応する図である。
【図１４】変形例４にかかる清掃機構及びダストボックスの概略断面図であって、図９に対応する図である。
【図１５】変形例５にかかる清掃機構及びダストボックスの概略断面図であって、図６に対応する図である。
【図１６】変形例６にかかる空気調和装置の概略平面断面図（但し、熱交換器については天板を取り除いた状態を図示）である。
【図１７】変形例６にかかる清掃機構及びダストボックスの概略断面図であって、図１６のＥ−Ｅ断面図である。
【図１８】変形例７にかかる空気調和装置の概略平面断面図（但し、熱交換器については天板を取り除いた状態を図示）である。
【図１９】変形例７にかかる塵埃導入ホース及びダストボックスの概略断面図である。
【図２０】変形例８にかかる空気調和装置の概略平面断面図（但し、熱交換器については天板を取り除いた状態を図示）である。
【図２１】変形例８にかかる塵埃導出ホース及びダストボックスの概略断面図である。
【符号の説明】
【００８１】
１  空気調和装置
２  ケーシング
２ａ  空気流路
２ｂ  吸入流路
３  熱交換器
４  送風ファン
５  フィルタ
９  清掃機構
１１  ダストボックス
１２  第１壁部
１３  ノズル差込口
１４、１１４  開閉蓋
１６  内弁
１７  第２壁部
１７ａ、１８ａ  空気孔
１８  第３壁部
２１ａ  吸入口
２２ａ  吹出口
２６ａ  ケーシング蓋
６１  塵埃導入ホース
７１  塵埃導出ホース
７３  ノズル差込口
【図１】
2007147168.tif 000003
【図２】
2007147168.tif 000004
【図３】
2007147168.tif 000005
【図４】
2007147168.tif 000006
【図５】
2007147168.tif 000007
【図６】
2007147168.tif 000008
【図７】
2007147168.tif 000009
【図８】
2007147168.tif 000010
【図９】
2007147168.tif 000011
【図１０】
2007147168.tif 000012
【図１１】
2007147168.tif 000013
【図１２】
2007147168.tif 000014
【図１３】
2007147168.tif 000015
【図１４】
2007147168.tif 000016
【図１５】
2007147168.tif 000017
【図１６】
2007147168.tif 000018
【図１７】
2007147168.tif 000019
【図１８】
2007147168.tif 000020
【図１９】
2007147168.tif 000021
【図２０】
2007147168.tif 000022
【図２１】
2007147168.tif 000023
【手続補正書】
【提出日】平成19年2月21日(2007.2.21)
【手続補正１】
【補正対象書類名】特許請求の範囲
【補正対象項目名】全文
【補正方法】変更
【補正の内容】
【特許請求の範囲】
【請求項１】
天井裏空間に設置可能なダクト型の空気調和装置であって、
前面にダクト接続される吹出口（２２ａ）と背面にダクト接続される吸入口（２１ａ）とが形成されるとともに、内部に前記吸入口から前記吹出口に至る空気通路（２ａ）が形成されたケーシング（２）と、
前記吸入口に設けられるフィルタ（４）と、
前記フィルタが捕集した塵埃を前記フィルタから除去する清掃機構（９）と、
前記ケーシングの側面に設けられており、前記清掃機構によって除去される塵埃を溜めるダストボックス（１１）と、
を備えた空気調和装置（１）。
【請求項２】
前記ケーシング（２）の側面には、前記ケーシング内に収容された機器を点検する際に開けられるケーシング蓋（２６ａ）が設けられており、
前記ダストボックス（１１）は、前記ケーシング蓋が設けられた前記ケーシングの側面に設けられている、請求項１に記載の空気調和装置（１）。
【請求項３】
前記ダストボックス（１１）は、前記ケーシング蓋（２６ａ）と一体に設けられている、請求項２に記載の空気調和装置（１）。
【請求項４】
前記ダストボックス（１１）には、掃除機のノズルを差し込むことが可能なノズル差込口（１３）が下向き又は水平向きに形成されている、請求項１〜３のいずれかに記載の空気調和装置（１）。
【請求項５】
前記ノズル差込口（１３）には、掃除機のノズルを差し込むことによって開く開閉蓋（１４、１１４）が設けられている、請求項４に記載の空気調和装置（１）。
【請求項６】
前記開閉蓋（１４、１１４）は、掃除機のノズルを前記ノズル差込口（１３）から抜き出すことによって閉じる、請求項５に記載の空気調和装置（１）。
【請求項７】
前記開閉蓋（１４、１１４）は、上向きに開く、請求項５又は６に記載の空気調和装置（１）。
【請求項８】
前記開閉蓋（１４、１１４）は、自重によって閉じる、請求項４〜７のいずれかに記載の空気調和装置（１）。
【請求項９】
前記開閉蓋（１４、１１４）は、掃除機のノズルの差し込み方向に並んで２つ設けられている、請求項４〜８のいずれかに記載の空気調和装置（１）。
【請求項１０】
前記ダストボックス（１１）には、掃除機の吸引力によって弾性変形可能な素材からなる弁（１６）が設けられている、請求項４〜９のいずれかに記載の空気調和装置（１）。
【請求項１１】
前記ダストボックス（１１）は、前記ノズル差込口（１３）に面する第１壁部（１２）と、前記第１壁部に対向する第２壁部（１７）と、前記第１壁部に接する第３壁部（１８）とを有しており、
前記第２壁部には、複数の空気孔（１７ａ）が形成されている、請求項４〜１０のいずれかに記載の空気調和装置（１）。
【請求項１２】
前記ダストボックス（１１）は、前記ノズル差込口（１３）に面する第１壁部（１２）と、前記第１壁部に対向する第２壁部（１７）と、前記第１壁部に接する第３壁部（１８）とを有しており、
前記第３壁部には、複数の空気孔（１８ａ）が形成されている、請求項４〜１１のいずれかに記載の空気調和装置（１）。
【請求項１３】
前記空気孔（１８ａ）は、前記第１壁部（１２）と前記第２壁部（１８）との中間位置から前記第２壁部側の位置に形成されている、請求項１２に記載の空気調和装置（１）。
【請求項１４】
前記ダストボックス（１１）は、前記ケーシング（２）内に配置されており、前記吸入口（２１ａ）から前記吹出口（２２ａ）に至る空気流路（２ａ）に連通する空気孔（１７ａ、１８ａ）が形成されており、前記空気孔が形成された部分が、塵埃が溜められる部分よりも上流側に配置されている、請求項１〜１０に記載の空気調和装置（１）。
【請求項１５】
前記ケーシング（２）には、前記吸入口（２１ａ）を通じて前記ケーシング内に空気を吸入するための送風ファン（４）が収容されるとともに、前記吸入口から前記送風ファンに至る空気の吸入流路（２ｂ）が形成されており、
前記ダストボックス（１１）は、前記ケーシング外に配置されており、前記吸入流路に連通する空気孔が形成されている、
請求項１〜１０のいずれかに記載の空気調和装置（１）。
【請求項１６】
前記ダストボックス（１１）は、前記ケーシング（２）から取り外し可能であり、前記清掃機構（９）によって前記フィルタ（４）から除去される塵埃が、塵埃導入ホース（６１）を介して導入されるように設けられている、請求項４〜１３のいずれかに記載の空気調和装置（１）。
【請求項１７】
前記ダストボックス（１１）には、内部に溜められる塵埃を天井に設けられた点検口まで導出するための塵埃導出ホース（７１）が接続されており、
前記塵埃導出ホースの点検口側の先端には、掃除機のノズルを差し込むことが可能なノズル差込口（７３）が形成されている、
請求項１〜３のいずれかに記載の空気調和装置（１）。
【請求項１８】
前記ダストボックス（１１）は、着脱自在に前記ケーシング（２）に設けられている、請求項１又は２に記載の空気調和装置（１）。
【手続補正２】
【補正対象書類名】明細書
【補正対象項目名】全文
【補正方法】変更
【補正の内容】
【発明の詳細な説明】
【技術分野】
【０００１】
本発明は、空気調和装置、特に、空調室の天井裏空間に設置可能なダクト型の空気調和装置に関する。
【背景技術】
【０００２】
従来のダクト型の空気調和装置として、例えば、背面にダクト接続される吸入口と、前面にダクト接続される吹出口とが形成されたケーシングと、ケーシング内に配置される送風ファン及び熱交換器とを備えたものがある。このようなダクト型の空気調和装置においては、吸入口にフィルタが設けられている。このフィルタは、空気中に含まれる塵埃がケーシング内に流入しないように捕集するものである。
【発明の開示】
【発明が解決しようとする課題】
【０００３】
しかし、空気調和装置の運転を長時間行うと、上述のフィルタに塵埃が堆積して吸入口における圧力損失が大きくなり、性能低下等の原因となるため、フィルタに捕集された塵埃を取り除く必要がある。そして、このフィルタの掃除は、天井の点検口を開け、ダクト接続されたケーシングの吸入口からフィルタを取り外して行う必要があるため、非常に労力を必要とする作業となっている。
【０００４】
本発明の課題は、ダクト型の空気調和装置において、吸入口に設けられたフィルタの掃除に要する労力を減らすことにある。
【課題を解決するための手段】
【０００５】
第１の発明にかかる空気調和装置は、天井裏空間に設置可能なダクト型の空気調和装置であって、前面にダクト接続される吹出口と背面にダクト接続される吸入口とが形成されるとともに、内部に吸入口から吹出口に至る空気通路が形成されたケーシングと、吸入口に設けられるフィルタと、フィルタが捕集した塵埃をフィルタから除去する清掃機構と、ケーシングの側面に設けられており清掃機構によって除去される塵埃を溜めるダストボックスとを備えている。
【０００６】
この空気調和装置では、清掃機構が設けられているため、フィルタを取り外すことなく、ケーシングの吸入口に設けられたフィルタから塵埃を除去し、除去された塵埃をダストボックスに溜めることができる。これにより、このダクト型の空気調和装置では、吸入口に設けられたフィルタの掃除に要する労力を減らすことができる。しかも、この空気調和装置では、ダストボックスがケーシングの側面に設けられているため、吸入口から吹出口に向かう空気の流れを妨げにくくなっている。
【０００７】
第２の発明にかかる空気調和装置は、第１の発明にかかる空気調和装置において、ケーシングの側面には、ケーシング内に収容された機器を点検する際に開けられるケーシング蓋が設けられている。ダストボックスは、ケーシング蓋が設けられたケーシングの側面に設けられている。
【０００８】
この空気調和装置では、ダストボックスが、ケーシング蓋が設けられたケーシングの側面に設けられているため、天井の点検口を開けることによって、ダストボックスに容易にアクセスすることができる。
【０００９】
第３の発明にかかる空気調和装置は、第２の発明にかかる空気調和装置において、ダストボックスは、ケーシング蓋と一体に設けられている。
【００１０】
この空気調和装置では、ダストボックスがケーシング蓋と一体に設けられているため、ケーシング内に収容された機器を点検する際に、ケーシング蓋とともにダストボックスを取り外すことができる。
【００１１】
第４の発明にかかる空気調和装置は、第１〜第３の発明のいずれかにかかる空気調和装置において、ダストボックスには、掃除機のノズルを差し込むことが可能なノズル差込口が下向き又は水平向きに形成されている。
【００１２】
この空気調和装置では、ノズル差込口が下向き又は水平向きに形成されているため、天井に設けられた点検口を開けて掃除機のノズルをノズル差込口に差し込むという簡単な作業により、ダストボックスに溜められた塵埃をダストボックス内から掃除機に吸引して排出することができる。
【００１３】
第５の発明にかかる空気調和装置は、第４の発明にかかる空気調和装置において、ノズル差込口には、掃除機のノズルを差し込むことによって開く開閉蓋が設けられている。
【００１４】
この空気調和装置では、ノズル差込口に掃除機のノズルを差し込むことによって開く開閉蓋が設けられているため、掃除機によってダストボックスに溜められた塵埃を吸引する作業を行うまで、清掃機構によってダストボックスに溜められた塵埃がノズル差込口から飛散するのを防ぐことができる。
【００１５】
第６の発明にかかる空気調和装置は、第５の発明にかかる空気調和装置において、開閉蓋は、掃除機のノズルをノズル差込口から抜き出すことによって閉じる。
【００１６】
この空気調和装置では、開閉蓋が、掃除機のノズルをノズル差込口から抜き出すことによって閉じるようになっているため、開閉蓋の閉め忘れを防ぐことができる。
【００１７】
第７の発明にかかる空気調和装置は、第５又は第６の発明にかかる空気調和装置において、開閉蓋は、上向きに開く。
【００１８】
この空気調和装置では、開閉蓋が上向きに開くため、開閉蓋が開く際にダストボックスに溜められた塵埃がこぼれ落ちるのを防ぐことができる。
【００１９】
第８の発明にかかる空気調和装置は、第４〜第７の発明のいずれかにかかる空気調和装置において、開閉蓋は、自重によって閉じる。
【００２０】
この空気調和装置では、開閉蓋が自重によって閉じるため、掃除機のノズルをノズル差込口から抜き出すことによって開閉蓋を閉じることができる。
【００２１】
第９の発明にかかる空気調和装置は、第４〜第８の発明のいずれかにかかる空気調和装置において、開閉蓋は、掃除機のノズルの差し込み方向に並んで２つ設けられている。
【００２２】
この空気調和装置では、開閉蓋が掃除機のノズルの差し込み方向に並んで２つ設けられているため、清掃機構によってダストボックスに溜められた塵埃がノズル差込口から飛散するのを防ぐ効果をさらに向上させることができる。
【００２３】
第１０の発明にかかる空気調和装置は、第４〜第９の発明のいずれかにかかる空気調和装置において、ダストボックスには、掃除機の吸引力によって弾性変形可能な素材からなる弁が設けられている。
【００２４】
この空気調和装置では、ダストボックスには掃除機の吸引力によって弾性変形可能な素材からなる弁が設けられているため、清掃機構によってダストボックスに溜められた塵埃が差込口から飛散するのを防ぐことができるとともに、ダストボックスに溜められた塵埃をダストボックス内から掃除機に吸引して排出する作業を容易に行うことができる。
【００２５】
第１１の発明にかかる空気調和装置は、第４〜第１０の発明のいずれかにかかる空気調和装置において、ダストボックスは、ノズル差込口に面する第１壁部と、第１壁部に対向する第２壁部と、第１壁部に接する第３壁部とを有している。第２壁部には、複数の空気孔が形成されている。
【００２６】
この空気調和装置では、掃除機のノズルをノズル差込口に差し込んでダストボックス内から塵埃を掃除機に吸引して排出する際に、空気孔を通じてダストボックスの外部から空気を取り入れることができるようになるため、ダストボックス内の圧力が極度に低くなり、塵埃が掃除機の吸引されにくくなるのを防ぐことができる。
【００２７】
第１２の発明にかかる空気調和装置は、第４〜第１１の発明のいずれかにかかる空気調和装置において、ダストボックスは、ノズル差込口に面する第１壁部と、第１壁部に対向する第２壁部と、第１壁部に接する第３壁部とを有している。第３壁部には、複数の空気孔が形成されている。
【００２８】
この空気調和装置では、掃除機のノズルをノズル差込口に差し込んでダストボックス内から塵埃を掃除機に吸引して排出する際に、空気孔を通じてダストボックスの外部から空気を取り入れることができるようになるため、ダストボックス内の圧力が極度に低くなり、塵埃が掃除機の吸引されにくくなるのを防ぐことができる。
【００２９】
第１３の発明にかかる空気調和装置は、第１２の発明にかかる空気調和装置において、空気孔は、第１壁部と第２壁部との中間位置から第２壁部側の位置に形成されている。
【００３０】
この空気調和装置では、空気孔が第１壁部と第２壁部との中間位置から第２壁部側の位置に形成されているため、掃除機のノズルをノズル差込口に差し込んでダストボックス内から塵埃を掃除機に吸引して排出する際に、ダストボックス内に溜められた塵埃によってダストボックスの外部から空気を取り入れる動作が阻害されにくくなる。
【００３１】
第１４の発明にかかる空気調和装置は、第１〜第１０の発明のいずれかにかかる空気調和装置において、ケーシングには、吸入口から吹出口に向かって流れる空気流路が形成されている。ダストボックスは、ケーシング内に配置されており、吸入口から吹出口に至る空気流路に連通する空気孔が形成されており、空気孔が形成された部分が、塵埃が溜められる部分よりも上流側に配置されている。
【００３２】
この空気調和装置では、掃除機のノズルをノズル差込口に差し込んでダストボックス内から塵埃を掃除機に吸引して排出する際に、空気孔を通じてダストボックスの外部から空気を取り入れることができるようになるため、ダストボックス内の圧力が極度に低くなり、塵埃が掃除機の吸引されにくくなるのを防ぐことができる。
【００３３】
しかも、この空気調和装置では、ダストボックスがケーシング内に配置されており、しかも、ダストボックスの空気孔が形成された部分が、塵埃が溜められる部分よりも空気流路の上流側に配置されているため、送風ファンの運転によって、ダストボックス内を負圧にすることができ、これにより、ダストボックス内の塵埃を圧縮して、コンパクトにダストボックス内に溜めることができる。
【００３４】
第１５の発明にかかる空気調和装置は、第１〜第１０の発明のいずれかにかかる空気調和装置において、ケーシングには、吸入口を通じてケーシング内に空気を吸入するための送風ファンが収容されるとともに、吸入口から送風ファンに至る空気の吸入流路が形成されている。ダストボックスは、ケーシング外に配置されており、吸入流路に連通する空気孔が形成されている。
【００３５】
この空気調和装置では、掃除機のノズルをノズル差込口に差し込んでダストボックス内から塵埃を掃除機に吸引して排出する際に、空気孔を通じてダストボックスの外部から空気を取り入れることができるようになるため、ダストボックス内の圧力が極度に低くなり、塵埃が掃除機の吸引されにくくなるのを防ぐことができる。
【００３６】
しかも、この空気調和装置では、ダストボックスがケーシング外に配置されており、しかも、空気孔が吸入流路に連通しているため、送風ファンの運転によって、ダストボックス内を負圧にすることができ、これにより、ダストボックス内の塵埃を圧縮して、コンパクトにダストボックス内に溜めることができる。
【００３７】
第１６の発明にかかる空気調和装置は、第４〜第１３の発明のいずれかにかかる空気調和装置において、ダストボックスは、ケーシングから取り外し可能であり、清掃機構によってフィルタから除去される塵埃が、塵埃導入ホースを介して導入されるように設けられている。
【００３８】
この空気調和装置では、ダストボックスと清掃機構とが塵埃導入ホースを介して接続されており、ダストボックスを天井の点検口又はその近傍に配置することができるため、掃除機のノズルをノズル差込口に差し込む作業を容易に行うことができる。
【００３９】
第１７の発明にかかる空気調和装置は、第１〜第３の発明のいずれかにかかる空気調和装置において、ダストボックスには、内部に溜められる塵埃を天井に設けられた点検口まで導出するための塵埃導出ホースが接続されている。塵埃導出ホースの点検口側の先端には、掃除機のノズルを差し込むことが可能なノズル差込口が形成されている。
【００４０】
この空気調和装置では、ダストボックスには内部に溜められる塵埃を天井に設けられた点検口まで導出するための塵埃導出ホースが接続されており、しかも、塵埃導出ホースの点検口側の先端に掃除機のノズルを差し込むことが可能なノズル差込口が形成されているため、掃除機のノズルをノズル差込口に差し込むという簡単な作業により、ダストボックスに溜められた塵埃をダストボックス内から掃除機に吸引して排出することができる。しかも、ダストボックスに溜められる塵埃を掃除機によって吸引し排出するために必要なノズル差込口を、天井の点検口又はその近傍に配置することができるため、掃除機のノズルをノズル差込口に差し込む作業を容易に行うことができる。
【００４１】
第１８の発明にかかる空気調和装置は、第１又は第２の発明にかかる空気調和装置において、ダストボックスは、着脱自在にケーシングに設けられている。
【００４２】
この空気調和装置では、ダストボックスが着脱自在にケーシングに設けられているため、塵埃が溜まったダストボックスをケーシングから取り外して、ダストボックス内の塵埃を排出することができる。
【発明の効果】
【００４３】
以上の説明に述べたように、本発明によれば、以下の効果が得られる。
【００４４】
第１の発明では、フィルタを取り外すことなく、ケーシングの吸入口に設けられたフィルタから塵埃を除去し、除去された塵埃をダストボックスに溜めることができるため、吸入口に設けられたフィルタの掃除に要する労力を減らすことができる。しかも、ダストボックスが、吸入口から吹出口に向かう空気の流れを妨げにくくなっている。
【００４５】
第２の発明では、天井の点検口を開けることによって、ダストボックスに容易にアクセスすることができる。
【００４６】
第３の発明では、ケーシング内に収容された機器を点検する際に、ケーシング蓋とともにダストボックスを取り外すことができる。
【００４７】
第４の発明では、天井に設けられた点検口を開けて掃除機のノズルをノズル差込口に差し込む作業を容易に行うことができる。
【００４８】
この空気調和装置では、天井に設けられた点検口を開けて掃除機のノズルをノズル差込口に差し込むという簡単な作業により、ダストボックスに溜められた塵埃をダストボックス内から掃除機に吸引して排出することができる。
【００４９】
第５の発明では、掃除機によってダストボックスに溜められた塵埃を吸引する作業を行うまで、清掃機構によってダストボックスに溜められた塵埃がノズル差込口から飛散するのを防ぐことができる。
【００５０】
第６の発明では、開閉蓋の閉め忘れを防ぐことができる。
【００５１】
第７の発明では、開閉蓋が開く際にダストボックスに溜められた塵埃がこぼれ落ちるのを防ぐことができる。
【００５２】
第８の発明では、掃除機のノズルをノズル差込口から抜き出すことによって開閉蓋を閉じることができる。
【００５３】
第９の発明では、清掃機構によってダストボックスに溜められた塵埃がノズル差込口から飛散するのを防ぐ効果をさらに向上させることができる。
【００５４】
第１０の発明では、清掃機構によってダストボックスに溜められた塵埃が差込口から飛散するのを防ぐことができるとともに、ダストボックスに溜められた塵埃をダストボックス内から掃除機に吸引して排出する作業を容易に行うことができる。
【００５５】
第１１の発明では、掃除機のノズルをノズル差込口に差し込んでダストボックス内から塵埃を掃除機に吸引して排出する際に、ダストボックス内の圧力が極度に低くなり、塵埃が掃除機の吸引されにくくなるのを防ぐことができる。
【００５６】
第１２の発明では、掃除機のノズルをノズル差込口に差し込んでダストボックス内から塵埃を掃除機に吸引して排出する際に、ダストボックス内の圧力が極度に低くなり、塵埃が掃除機の吸引されにくくなるのを防ぐことができる。
【００５７】
第１３の発明では、掃除機のノズルをノズル差込口に差し込んでダストボックス内から塵埃を掃除機に吸引して排出する際に、ダストボックス内に溜められた塵埃によってダストボックスの外部から空気を取り入れる動作が阻害されにくくなる。
【００５８】
第１４の発明では、掃除機のノズルをノズル差込口に差し込んでダストボックス内から塵埃を掃除機に吸引して排出する際に、ダストボックス内の圧力が極度に低くなり、塵埃が掃除機の吸引されにくくなるのを防ぐことができるとともに、送風ファンの運転によって、ダストボックス内を負圧にすることができ、これにより、ダストボックス内の塵埃を圧縮して、コンパクトにダストボックス内に溜めることができる。
【００５９】
第１５の発明では、掃除機のノズルをノズル差込口に差し込んでダストボックス内から塵埃を掃除機に吸引して排出する際に、ダストボックス内の圧力が極度に低くなり、塵埃が掃除機の吸引されにくくなるのを防ぐことができるとともに、送風ファンの運転によって、ダストボックス内を負圧にすることができ、これにより、ダストボックス内の塵埃を圧縮して、コンパクトにダストボックス内に溜めることができる。
【００６０】
第１６の発明では、掃除機のノズルをノズル差込口に差し込む作業を容易に行うことができる。
【００６１】
第１７の発明では、掃除機のノズルをノズル差込口に差し込むという簡単な作業により、ダストボックスに溜められた塵埃をダストボックス内から掃除機に吸引して排出することができ、また、掃除機のノズルをノズル差込口に差し込む作業も容易である。
【００６２】
第１８の発明では、塵埃が溜まったダストボックスをケーシングから取り外して、ダストボックス内の塵埃を排出することができる。
【発明を実施するための最良の形態】
【００６３】
以下、図面に基づいて、本発明にかかるダクト型の空気調和装置の実施形態について説明する。
【００６４】
（１）ダクト型の空気調和装置の基本構成
図１に本発明の一実施形態にかかるダクト型の空気調和装置１の概略側面断面図を示す。この空気調和装置１は、空調室の天井面Ｕの上側に形成された天井裏空間Ｓに配置することが可能な、いわゆる、ダクト構造のものであり、主として、ケーシング２と、熱交換器３と、送風ファン４とを備えている。尚、図中のＯは、送風ファン４の回転中心を示している。
【００６５】
ケーシング２は、内部に熱交換器３及び送風ファン４を収容する略矩形箱状の部材であり、背面２１（図１の紙面右側の面）に吸入口２１ａと、前面２２（図１の紙面左側の面）に吹出口２２ａが形成されている。吸入口２１ａ及び吹出口２２ａは、本実施形態において、略矩形状の開口である。吸入口２１ａには、吸入口２１ａから吸入される空気中の塵埃を捕集するフィルタ５が設けられている。そして、フィルタ５が設けられた吸入口２１ａには吸入ダクト６が接続され、吹出口２２ａには吹出ダクト７が接続されている。このように、ケーシング２の内部には、吸入口２１ａから吹出口２２ａに至る空気通路２ａが形成されている。
【００６６】
熱交換器３は、空気流路２ａ内の吸入口２１ａ寄りに配置されており、吸入口２１ａから吸入された空気を加熱又は冷却するための機器である。熱交換器３は、本実施形態において、クロスフィンチューブ式の熱交換器であり、その上部が吹出口２２ａ側に斜めに傾斜するように配置されている。そして、熱交換器３の下側には、ドレンパン８が配置されており、熱交換器３で発生した結露水を受けることができるようになっている。
【００６７】
送風ファン４は、空気流路２ａ内の吹出口２２ａ寄りに配置されており、熱交換器３を通過した空気を吸入して昇圧し、吹出口２２ａから吹き出すための機器である。送風ファン４は、本実施形態において、シロッコファンであり、渦巻形状の断面を有するスクロールケーシング４１と、スクロールケーシング４１内に配置される羽根車４２と、羽根車４２を回転駆動するファンモータ４３とを有している。スクロールケーシング４１は、熱交換器３を通過した空気が流入するスクロール吸入口４１ａと、吹出口２２ａに向かって空気を吹き出すように形成されたスクロール吹出口４１ｂとを有している。このように、スクロールケーシング４１は、空気流路２ａの一部を構成している。ここで、空気流路２ａのうち吸入口２１ａから送風ファン４のスクロールケーシング４１の吸入口４１ａに至るまでの流路を吸入流路２ｂとし、空気流路２ａのうちスクロールケーシング４１の吸入口４１ａから吹出口２２ａに至るまでの流路を吹出流路２ｃとする。羽根車４２は、本実施形態において、ファンモータ４３によって回転駆動される円板４２ａと、円板４２ａの外周部に並んで配置された多数枚の翼４２ｂ（図１では、翼４２ｂの数枚のみを図示）とを有するシロッコファン用の羽根車であり、スクロールケーシング４１内に配置されている。
【００６８】
（２）空気調和装置の空調運転動作
次に、空気調和装置１の空調運転動作について、図１を用いて説明する。
【００６９】
運転を開始すると、ファンモータ４３が駆動されて、送風ファン４の羽根車４２が回転する。また、ファンモータ４３の駆動とともに、熱交換器３内には、室外ユニット（図示せず）から冷媒が供給される。ここで、熱交換器３は、冷房運転時には蒸発器として、暖房運転時には凝縮器として作用する。そして、羽根車４２の回転に伴って、ケーシング２の吸入流路２ｂ内の空気は、スクロール吸入口４１ａからスクロールケーシング４１内に吸入されて羽根車４２によって昇圧された後、スクロール吹出口４１ｂ及び吹出口２２ａから吹出ダクト７内に吹き出される。これにより、吸入ダクト６内の空気は、吸入流路２ａを通じて吸入口２１ａからケーシング２内に吸入される。この吸入された空気は、熱交換器３に達し、熱交換器３を通過する際に冷却又は加熱される。
【００７０】
すなわち、この空気調和装置１では、吸入ダクト６内の空気が、吸入口２１ａからケーシング２内に流入して熱交換器３を通過し、さらに、スクロール吸入口４１ａからスクロールケーシング４１内に吸入されて羽根車４２によって昇圧された後、スクロール吹出口４１ｂ及び吹出口２２ａから吹出ダクト７内に吹き出されるという空気の流れが形成される。
【００７１】
そして、このような空調運転を長時間行うと、フィルタ５に塵埃が堆積して吸入口２１ａにおける圧力損失が大きくなり、性能低下等の原因となる。このため、フィルタ５に捕集された塵埃を除去する必要があるが、本実施形態の空気調和装置１では、フィルタ５をケーシング２から取り外すことなく、フィルタ５から塵埃を除去することができるようになっている。以下、本実施形態の空気調和装置１のフィルタ５が捕集した塵埃を除去するための構造及び清掃動作について説明する。
【００７２】
（３）フィルタ、清掃機構及びダストボックスの構成
上述のような基本構成を有する空気調和装置１では、図２〜図６に示されるように、フィルタ５が枠部材５１と枠部材５１に蛇行した状態で保持される濾過部材５２とを有する構造になっており、そして、フィルタ５（すなわち、濾過部材５２）が上述の空調運転中に捕集した塵埃をフィルタ５から除去する清掃機構９と、清掃機構９によって除去される塵埃を溜めるダストボックス１１とが設けられている。ここで、図２は、空気調和装置１の概略平面断面図（但し、熱交換器３については天板２３を取り除いた状態を図示）である。図３は、空気調和装置１の概略側面図であって、図２をＡ方向から見た図である。図４は、空気調和装置１の概略背面図であって、図２をＢ方向から見た図である。図５は、フィルタ５のスプロケット５３付近の構造を示す斜視図である。図６は、清掃機構９及びダストボックス１１の概略断面図であって、図３のＣ−Ｃ断面図である。
【００７３】
フィルタ５を構成する濾過部材５２は、略矩形状の断面を有する帯状の心材５２ａを有している。心材５２ａは、柔軟性材料により湾曲自在に形成された部材である。また、心材５２ａには、濾過部材５２を回転支持するスプロケット５３の歯部５３ｂを係合させるための係合孔５２ｂが一定間隔で多数形成されている。そして、心材５２ａの吸入ダクト６側の部分に松葉状の毛状部材５２ｃが植毛されている。
【００７４】
フィルタ５を構成する枠部材５１は、その背面視（すなわち、吸入口２１ａ側から見た場合）において、ケーシング２の天板２３、下板２４及び側板２５、２６に沿うように、かつ、吸入口２１ａの周囲を囲むように配置された略矩形状の部材であり、ケーシング２に固定されて、ケーシング２の天面、下面及び側面を構成している。そして、このような枠部材５１には、濾過部材５２を蛇行した状態で配置しかつ濾過部材５２を循環移動させるために、スプロケット５３が配置されており、他の濾過部材５２の曲がり部には心材５２ａの表面に接触して心材５２ａを支持するローラ状の支持部材５４が設けられている。
【００７５】
スプロケット５３は、円柱状の本体部５３ａの周囲に係合孔５２ｂに係合するために歯部５３ｂが形成されている。また、本体部５３ａの中心には、回転軸５３ｃが設けられている。また、回転軸５３ｃがモータ（図示せず）により、矢印方向に回転駆動されることにより、スプロケット５３の歯部５３ｂが係合孔５２ｂに係合して、濾過部材５２を、蛇行した状態を保持しながら矢印方向に循環移動させることができるようになっている。
【００７６】
清掃機構９は、ケーシング２の側面（具体的には、側板２６）の上下方向略中央に配置されており、主として、濾過部材５２の毛状部材５２ｃに捕集された塵埃を払い落とす本体部９１からなる。本体部９１には、濾過部材５２が通過する通路９２が設けられており、この通路９２の途中複数個所に接触部９３が配置されている。この接触部９３は、濾過部材５２を通過させる狭い通路を形成しており、この通路を形成する壁部の角部に毛状部材５２ｃを押し当てながら移動させることにより、毛状部材５２ｃに捕集された塵埃を払い落とすことができるようになっている。尚、本実施形態において、清掃機構９は濾過部材５２の曲がり部に配置されているため、清掃機構９が配置された濾過部材５２の曲がり部に設けられた支持部材５４は、清掃機構９の通路９２内に配置されている。
【００７７】
ダストボックス１１は、清掃機構９の本体部９１に接続されており、接触部９３によって払い落とされた塵埃を溜める容器である。本実施形態において、ダストボックス１１は、ケーシング２の側面（具体的には、側板２６）に設けられている。より具体的には、ダストボックス１１は、清掃機構９の外側であって、背面視においてケーシング２の側板２６の外面に沿うように配置されている。また、ダストボックス１１は、清掃機構９の本体部９１に着脱自在に接続されている。
【００７８】
ここで、本実施形態の空気調和装置１においては、制御Ｐ板等を含む各種電気部品が収納された電装品箱１０が側板２６の吹出口２２ａ寄りに設けられている。また、側板２６には、ケーシング２内に収容された熱交換器３や送風ファン４等の機器を点検する際に開けることが可能なケーシング蓋２６ａが設けられている。ここでは、側板２６の周縁部を除くほぼ全部がケーシング蓋２６ａとなっており、点検時に取り外すことが可能になっている。そして、天井面Ｕの側板２６付近には、点検口Ｕ１が配置されており、電装品箱１０やケーシング蓋２６ａへのアクセスが容易になっている。尚、本実施形態では、ダストボックス１１は、側板２６のケーシング蓋２６ａではない部分に着脱自在に設けられている。
【００７９】
そして、ダストボックス１１は、本実施形態において、略角筒形状の容器であり、その下面を構成する第１壁部１２には、掃除機のノズル２０を差し込むことが可能なノズル差込口１３が下向きに形成されている。このノズル差込口１３には、掃除機のノズル２０を差し込むことによって開き、かつ、掃除機のノズル２０を抜き出すことによって閉じる開閉蓋１４が設けられている。この開閉蓋１４は、ダストボックス１１の第１壁部１２に上下方向に開閉可能になるように軸支された一対の板状部材であり、掃除機のノズル２０をノズル差込口１３に下方から差し込むことによって、開閉蓋１４が掃除機のノズル２０の先端によって上方に押されて開き、ノズル差込口１３の傾斜面１３ａに掃除機のノズル２０をノズル差込口１３から下方に抜き出すことによって、掃除機のノズル２０の先端によって上方に押される力が解除されて開閉蓋１４が自重により閉まり、ノズル差込口１３の開閉蓋１４の下側に配置されたストッパー部１５に当接する。このストッパー部１５は、掃除機のノズルの内面に嵌るようにノズル差込口１３の最下部に形成されている。また、ダストボックス１１には、掃除機の吸引力によって弾性変形可能な素材からなる内弁１６が設けられている。内弁１６は、開閉蓋１４の上側に設けられている。内弁１６の素材としては、軟質のゴムやラバーを用いることができる。また、ダストボックス１１の上面を構成するとともに第１壁部１２に対向するように配置された第２壁部１７には、ケーシング２の外側（すなわち、天井裏空間Ｓ）に連通する複数の空気孔１７ａが形成されている。ここで、これらの空気孔１７ａは、直径５ｍｍ以下の略円形である。さらに、ダストボックス１１の側面を構成するとともに第１壁部１２及び第２壁部１７に接する第３壁部１８の上部は、清掃機構９の本体部９１に連通しており、清掃機構９の接触部９３によって払い落とされた塵埃が導入できるようになっている。
【００８０】
（４）フィルタの清掃動作
次に、空気調和装置１のフィルタ５の清掃動作について、図２及び図４〜６を用いて説明する。
【００８１】
空気調和装置１の空調運転を所定時間行った後、自動的に又は手動操作により、フィルタ５のモータ（図示せず）を駆動し、スプロケット５３を回転させて濾過部材５２を循環移動させる。すると、濾過部材５２が清掃機構９の通路９２を通過し、この通過の際に、接触部９３によってフィルタ５の毛状部材５２ｃに捕集された塵埃が払い落とされて、ダストボックス１１内に溜まる。すなわち、清掃機構９によりフィルタ５が捕集した塵埃をフィルタ５から除去し、ダストボックス１１に清掃機構９によって除去された塵埃を溜めることができる。
【００８２】
次に、ダストボックス１１に塵埃が溜まったら、天井面Ｕの点検口Ｕ１を開けて掃除機のノズル２０をノズル差込口１３に下方から差し込むことによって、開閉蓋１４を掃除機のノズル２０の先端によって上方に押して開き、掃除機を運転してダストボックス１１内に溜まった塵埃をダストボックス１１内から掃除機に吸引する。このとき、内弁１６が掃除機の吸引力によって弾性変形するため（図６参照）、ダストボックス１１内に溜まった塵埃がダストボックス１１内から速やかに排出されて掃除機に吸引される。また、このとき、掃除機の吸引力によってダストボックス１１内の空気が排出されてダストボックス１１の圧力が低くなる傾向になるが、本実施形態の空気調和装置１では、ダストボックス１１の第２壁部１７に空気孔１７ａが設けられているため、掃除機による吸引作業中に、ダストボックス１１内にケーシング２の外部から空気が取り込まれることとなり、過度にダストボックス内の圧力が極度に低くなって塵埃が掃除機の吸引されにくくなるのを防ぐことができるようになっている。
【００８３】
そして、ダストボックス１１内に溜まった塵埃をダストボックス１１内から排出して掃除機に吸引する作業が終了したら、掃除機の運転を停止し、掃除機のノズル２０をノズル差込口１３から抜き出す。これにより、掃除機の吸引力が内弁１６に作用しない状態になるため、内弁１６が閉じられる。また、掃除機のノズル２０によって開閉蓋１４が上方に押し上げる力が作用しない状態になるため、自重により開閉蓋１４が閉じられる。
【００８４】
また、本実施形態の空気調和装置１に設けられたダストボックス１１は、ケーシング２の側面（ここでは、側板２６）に着脱自在に設けられており、また、清掃機構９の本体部９１に着脱自在に接続されているため、ダストボックス１１をケーシング２の側板２６及び清掃機構９の本体部９１から取り外して、掃除機を使用することなく、内部に溜まった塵埃を排出することも可能である。
【００８５】
（５）本実施形態の空気調和装置の特徴
本実施形態の空気調和装置１、特に、フィルタ５、清掃機構９及びダストボックス１１には、以下のような特徴がある。
【００８６】
（Ａ）
本実施形態の空気調和装置１では、フィルタ５が枠部材５１と枠部材５１に蛇行した状態で保持されて循環移動可能な濾過部材５２とを有する構造になっており、そして、フィルタ５の濾過部材５２が空調運転中に捕集した塵埃を濾過部材５２から除去する清掃機構９が設けられているため、フィルタ５を取り外すことなく、ケーシング２の吸入口２１ａに設けられたフィルタ５から塵埃を除去し、除去された塵埃をダストボックス１１に溜めることができる。これにより、このダクト型の空気調和装置１では、吸入口２１ａに設けられたフィルタ５の掃除に要する労力を減らすことができる。
【００８７】
また、ダストボックス１１は、ケーシング２の側面（ここでは、側板２６）に設けられているため、吸入口２１ａから吹出口２２ａに向かう空気の流れ（すなわち、空気流路２ａ内における空気の流れ）を妨げにくくなっている。しかも、ダストボックス１１は、ケーシング２内に収容された熱交換器３や送風ファン４等の機器を点検する際に開けられるケーシング蓋２６ａが設けられたケーシング２の側面（ここでは、側板２６）に設けられているため、天井Ｕの点検口Ｕ１を開けることによって、ダストボックス１１に容易にアクセスすることができるようになっている。
【００８８】
（Ｂ）
本実施形態の空気調和装置１では、ダストボックス１１に、掃除機のノズル２０を差し込むことが可能なノズル差込口１３が下向きに形成されているため、天井Ｕに設けられた点検口Ｕ１を開けて掃除機のノズル２０をノズル差込口１３に差し込むという簡単な作業により、ダストボックス１１に溜められた塵埃をダストボックス１１内から掃除機に吸引して排出することができる。
【００８９】
（Ｃ）
本実施形態の空気調和装置１では、ノズル差込口１３に掃除機のノズル２０を差し込むことによって開く開閉蓋１４が設けられているため、掃除機によってダストボックス１１に溜められた塵埃を吸引する作業を行うまで、清掃機構９によってダストボックス１１に溜められた塵埃がノズル差込口１３から飛散するのを防ぐことができる。
【００９０】
しかも、開閉蓋１４は、上向きに開くようになっているため、開閉蓋１４が開く際にダストボックス１１に溜められた塵埃がこぼれ落ちるのを防ぐことができる。
【００９１】
また、開閉蓋１４は、掃除機のノズル２０をノズル差込口１３から抜き出すことによって閉じるようになっている。ここでは、開閉蓋１４は自重によって閉じるようになっている。これにより、本実施形態の空気調和装置１では、開閉蓋１４の閉め忘れを防ぐことができる。
【００９２】
本実施形態の空気調和装置１では、ダストボックス１１に、掃除機の吸引力によって弾性変形可能な素材（例えば、軟質のゴムやラバー等）からなる内弁１６が設けられているため、清掃機構９によってダストボックス１１に溜められた塵埃がノズル差込口１３からこぼれ落ちるのを防ぐことができるとともに、ダストボックス１１に溜められた塵埃をダストボックス１１内から掃除機に吸引して排出する作業を容易に行うことができる。
【００９３】
本実施形態の空気調和装置１では、ノズル差込口１３に面する第１壁部１２に対向する第２壁部１７に、複数の空気孔１７ａが形成されており、掃除機のノズル２０をノズル差込口１３に差し込んでダストボックス１１内から塵埃を掃除機に吸引して排出する際に、空気孔１７ａを通じてダストボックス１１の外部から空気を取り入れることができるようになっているため、ダストボックス１１内の圧力が極度に低くなり、塵埃が掃除機の吸引されにくくなるのを防ぐことができる。
【００９４】
しかも、これらの空気孔１７ａは、直径５ｍｍ以下の略円形であるため、掃除機のノズルをノズル差込口１３に差し込んでダストボックス１１内から塵埃を掃除機に吸引して排出する際に、空気孔１７ａを通じてダストボックス１１の外部から空気を十分に取り入れることができるとともに、空気孔１７ａを通じてダストボックス１１内に溜められた塵埃がダストボックス１１の外部に飛散するのを極力防ぐことができる。
【００９５】
（Ｄ）
本実施形態の空気調和装置１では、ダストボックス１１が着脱自在にケーシング２に設けられているため、塵埃が溜まったダストボックス１１をケーシング２から取り外して、ダストボックス１１内の塵埃を排出することができる。
【００９６】
（６）変形例１
上述の実施形態にかかる空気調和装置１では、ダストボックス１１が、ケーシング２内に収容された機器を点検する際に開けられるケーシング蓋２６ａが設けられた側面（ここでは、側板２６）であって、この側面のケーシング蓋２６ａではない部分に設けられているが、図７に示されるように、掃除機のノズル２０の差し込み方向に並んで２組設けるようにしてもよい。
【００９７】
本変形例にかかる空気調和装置１では、ダストボックス１１がケーシング蓋２６ａと一体に設けられているため、ケーシング２内に収容された熱交換器３や送風ファン４等の機器を点検する際に、ケーシング蓋２６ａとともにダストボックス１１を取り外すことができる。
【００９８】
（７）変形例２
上述の実施形態及び変形例１にかかる空気調和装置１では、ダストボックス１１のノズル差込口１３が下向きに形成されているが、図８及び図９に示されるように、ノズル差込口１３が水平向きに形成されていてもよい。
【００９９】
より具体的には、本変形例にかかるダストボックス１１は、上述の実施形態及び変形例１と同様に、清掃機構９の本体部９１に接続されており、接触部９３によって払い落とされた塵埃を溜める容器である。本変形例において、ダストボックス１１は、ケーシング２の側面（具体的には、側板２６）に設けられている。
【０１００】
そして、ダストボックス１１は、本実施形態において、略角筒形状の容器であり、その一側面を構成する第１壁部１２には、掃除機のノズル２０を差し込むことが可能なノズル差込口１３が下向きに形成されている。このノズル差込口１３には、掃除機のノズル２０を差し込むことによって開き、かつ、掃除機のノズル２０を抜き出すことによって閉じる開閉蓋１４が設けられている。この開閉蓋１４は、第１実施形態及び変形例１の開閉蓋１４と異なり、ダストボックス１１の第１壁部１２に上下方向に開閉可能になるように軸支された板状部材であり、掃除機のノズル２０をノズル差込口１３に側方から差し込むことによって、開閉蓋１４が掃除機のノズル２０の先端によって上方に押されて開き、ノズル差込口１３の傾斜面１３ａに掃除機のノズル２０をノズル差込口１３から差し込み方向と反対に抜き出すことによって、掃除機のノズル２０の先端によって上方に押される力が解除されて開閉蓋１４が自重により閉まり、ノズル差込口１３の開閉蓋１４の側方に配置されたストッパー部１５に当接する。このストッパー部１５は、掃除機のノズルの内面に嵌るようにノズル差込口１３の側端部に形成されている。また、ダストボックス１１には、掃除機の吸引力によって弾性変形可能な素材からなる内弁１６が設けられている。内弁１６は、開閉蓋１４の内側（すなわち、掃除機のノズル２０の差込方向側）に設けられている。内弁１６の素材としては、軟質のゴムやラバーを用いることができる。また、ダストボックス１１の他側面を構成するとともに第１壁部１２に対向するように配置された第２壁部１７には、ケーシング２の外側（すなわち、天井裏空間Ｓ）に連通する複数の空気孔１７ａが形成されている。ここで、これらの空気孔１７ａは、直径５ｍｍ以下の略円形である。さらに、ダストボックス１１の側面を構成するとともに第１壁部１２及び第２壁部１７に接する第３壁部１８の上部は、清掃機構９の本体部９１（本変形例では、第２壁部１７寄りの部分）に連通しており、清掃機構９の接触部９３（図９には図示せず）によって払い落とされた塵埃が導入できるようになっている。
【０１０１】
本変形例にかかる空気調和装置１においても、第１実施形態及び変形例１にかかる空気調和装置１と同様、天井Ｕに設けられた点検口Ｕ１を開けて掃除機のノズル２０をノズル差込口１３に差し込むという簡単な作業により、ダストボックス１１に溜められた塵埃をダストボックス１１内から掃除機に吸引して排出することができる。
【０１０２】
（８）変形例３
上述の実施形態及び変形例１、２にかかる空気調和装置１では、ダストボックス１１のノズル差込口１３に開閉蓋１４が１つ設けられているが、掃除機のノズル２０の差し込み方向に並んで２つ設けるようにしてもよい。例えば、ノズル差込口１３がダストボックス１１の下面に形成される場合を例にすると、図１０に示されるように、開閉蓋１４の下側に開閉蓋１１４を配置することができる。ここで、開閉蓋１４の下側に配置される開閉蓋１１４には、開閉蓋１４の下面に当接する突起１１４ａが形成されており、掃除機のノズル２０を下方から差し込んで開閉蓋１１４を上方に押して開く際に、同時に、突起１１４ａによって開閉蓋１４の下面を押して開くことができるようになっている。
【０１０３】
本変形例にかかる空気調和装置１では、開閉蓋１４、１１４が掃除機のノズル２０の差し込み方向に並んで２つ設けられているため、清掃機構９によってダストボックス１１に溜められた塵埃がノズル差込口１３からこぼれ落ちるのを防ぐ効果をさらに向上させることができる。
【０１０４】
（９）変形例４
上述の実施形態及び変形例１〜３にかかる空気調和装置１では、ダストボックス１１の上面を構成する第２壁部１７にケーシング２の外側に連通する複数の空気孔１７ａが形成されているが、第２壁部１７に複数の空気孔１７ａを形成することに代えて、又は、第２壁部１７に複数の空気孔１７ａを形成するとともに、ダストボックス１１の側面を構成する第３壁部１８にケーシング２の外側に連通する複数の空気孔１８ａを形成するようにしてもよい。
【０１０５】
例えば、ノズル差込口１３がダストボックス１１の下面に形成され、かつ、開閉蓋１４が１つ設けられる場合を例にすると、図１１又は図１２に示されるように、第２壁部１７に複数の空気孔１７ａを形成することに代えて、又は、第２壁部１７に複数の空気孔１７ａを形成するとともに、ダストボックス１１の側面を構成する第３壁部１８にケーシング２の外側に連通する複数の空気孔１８ａを形成することができる。ここで、複数の空気孔１８ａは、第１壁部１２と第２壁部１７との中間位置から第２壁部１７側の位置（すなわち、第２壁部１７の内面から下方に第１壁部１２の内面と第２壁部１７の内面との距離ｈの半分までの位置）に形成されている。また、これらの空気孔１８ａは、上述の実施形態及び変形例１と同様、直径５ｍｍ以下の略円形である。
【０１０６】
本変形例にかかる空気調和装置１では、ノズル差込口１３に面する第１壁部１２に接する第３壁部１８に、複数の空気孔１８ａが形成されており、掃除機のノズル２０をノズル差込口１３に差し込んでダストボックス１１内から塵埃を掃除機に吸引して排出する際に、空気孔１８ａを通じてダストボックス１１の外部から空気を取り入れることができるようになっているため、ダストボックス１１内の圧力が極度に低くなり、塵埃が掃除機の吸引されにくくなるのを防ぐことができる。しかも、空気孔１８ａは、第１壁部１２と第２壁部１７との中間位置から第２壁部１７側の位置に形成されているため、掃除機のノズル２０をノズル差込口１３に差し込んでダストボックス１１内から塵埃を掃除機に吸引して排出する際に、ダストボックス１１内に溜められた塵埃によってダストボックス１１の外部から空気を取り入れる動作が阻害されにくくなる。
【０１０７】
また、ノズル差込口１３がダストボックス１１の側面に形成され、かつ、開閉蓋１４が１つ設けられる場合を例にすると、図１３又は図１４に示されるように、第２壁部１７に複数の空気孔１７ａを形成することに代えて、又は、第２壁部１７に複数の空気孔１７ａを形成するとともに、ダストボックス１１の第１及び第２壁部１２、１７の周囲の面を構成する第３壁部１８にケーシング２の外側に連通する複数の空気孔１８ａを形成することができる。ここで、複数の空気孔１８ａは、第３壁部１８の上面を構成する部分と下面を構成する部分との中間位置から上面側の位置（すなわち、第３壁部１８の上面を構成する部分の内面から、第３壁部１８の上面を構成する部分の内面と第３壁部１８の下面を構成する部分の内面との距離ｈの半分までの位置）に形成されている。また、これらの空気孔１８ａは、上述の実施形態及び変形例１と同様、直径５ｍｍ以下の略円形である。
【０１０８】
本変形例にかかる空気調和装置１では、ノズル差込口１３に面する第１壁部１２に接する第３壁部１８に、複数の空気孔１８ａが形成されており、掃除機のノズル２０をノズル差込口１３に差し込んでダストボックス１１内から塵埃を掃除機に吸引して排出する際に、空気孔１８ａを通じてダストボックス１１の外部から空気を取り入れることができるようになっているため、ダストボックス１１内の圧力が極度に低くなり、塵埃が掃除機の吸引されにくくなるのを防ぐことができる。しかも、空気孔１８ａは、第３壁部１８の上面を構成する部分と下面を構成する部分との中間位置から上面側の位置に形成されているため、掃除機のノズル２０をノズル差込口１３に差し込んでダストボックス１１内から塵埃を掃除機に吸引して排出する際に、ダストボックス１１内に溜められた塵埃によってダストボックス１１の外部から空気を取り入れる動作が阻害されにくくなる。
【０１０９】
（１０）変形例５
上述の実施形態及び変形例１〜４にかかる空気調和装置１では、ダストボックス１１に空気孔１７ａ、１８ａを形成し、ダストボックス１１をケーシング２の外側に連通させることによって、掃除機のノズル２０をノズル差込口１３に差し込んでダストボックス１１内から塵埃を掃除機に吸引して排出する際に、ダストボックス１１内の圧力が極度に低くなり、塵埃が掃除機の吸引されにくくなるのを防ぐようにしているが、これらの空気孔１７ａ、１８ａを吸入流路２ｂに連通するように形成してもよい。例えば、変形例４にかかるダストボックス１１の第３壁部１８に空気孔１８ａを形成する場合（図１１参照）を例にすると、図１４に示されるように、第３壁部１８の吸入流路２ｂに面する位置に空気孔１８ａを形成することによって、ダストボックス１１と吸入流路２ｂとを連通させることができる。
【０１１０】
本変形例にかかる空気調和装置１では、第３壁部１８の吸入流路２ｂに面する位置に吸入流路２ａに連通する空気孔１８ａが形成されており、掃除機のノズル２０をノズル差込口１３に差し込んでダストボックス１１内から塵埃を掃除機に吸引して排出する際に、空気孔１９ａを通じてダストボックス１１の外部から空気を取り入れることができるようになるため、上述の実施形態及び変形例１〜４と同様に、ダストボックス１１内の圧力が極度に低くなり、塵埃が掃除機の吸引されにくくなるのを防ぐことができる。
【０１１１】
しかも、これらの空気孔１８ａは吸入流路２ｂに連通しているため、送風ファン４の運転によって、ダストボックス１１内を負圧にすることができ、これにより、ダストボックス１１内の塵埃を圧縮して、コンパクトにダストボックス１１内に溜めることができる。
【０１１２】
（１１）変形例６
上述の実施形態及び変形例１〜５にかかる空気調和装置１では、ダストボックス１１がケーシング２の側面（具体的には、側板２６）の外面（すなわち、ケーシング２外）に設けられているが、ケーシング２内に設けられていてもよい。例えば、変形例２にかかる横長のダストボックス１１（図９参照）を例にすると、図１６及び図１７に示されるように、ダストボックス１１をケーシング２の側面（具体的には、側板２６）の内面（すなわち、ケーシング２内）に設けるとともに、ノズル差込口１３を下向きに設けて下板２４を貫通させることができる。尚、ここでは図示しないが、ノズル差込口１３を下向きではなく、水平向きに設けて側板２６を貫通させるようにしてもよい。また、本変形例のダストボックス１１の第３壁部１８には、複数の空気孔１８ａが形成されている。
【０１１３】
本変形例にかかる空気調和装置１においても、上述の実施形態及び変形例１〜４と同様な効果を得ることができる。
【０１１４】
尚、本変形例のダストボックス１１では、空気孔１８ａが、ダストボックス１１内の空間のうち清掃機構９寄りの部分に対応する壁部（ここでは、第３壁部１８の清掃機構９寄りの部分）に形成されており、そして、この部分が、ダストボックス１１内の空間のうちノズル差込口１３寄りの部分よりも上流側に配置されている。ダストボックス１１のノズル差込口１３寄りの部分には、主として、清掃機構９によってフィルタ５から除去された塵埃が溜められることになるが、この部分に対して清掃機構９寄りの部分が空気流路２ａの上流側に配置されることによって、送風ファン４の運転によって、ダストボックス１１内を負圧にすることができ、これにより、ダストボックス１１内の塵埃を圧縮して、コンパクトにダストボックス１１内に溜めることができるようになっている。
【０１１５】
（１２）変形例７
上述の実施形態及び変形例１〜６にかかる空気調和装置１では、ダストボックス１１がケーシング２（具体的には、側板２６）に設けられているが、ダストボックス１１がケーシング２に設けられていなくてもよい。例えば、上述の変形例２にかかるダストボックス１１（図９参照）を例にすると、図１８及び図１９に示されるように、ダストボックス１１をケーシング２（具体的には、側板２６）及び清掃機構９から取り外して天井面Ｕの点検口Ｕ１又はその近傍に設けるとともに、清掃機構９とダストボックス１１との接続部間を、塵埃導入ホースによって接続することができる。また、ダストボックス１１には、空気孔１７ａが形成されており、空気孔１７ａを通じてダストボックス１１の外部（すなわち、天井裏空間Ｓ）から空気を取り入れることができるようになっている。
【０１１６】
本変形例にかかる空気調和装置１では、ダストボックス１１がケーシング２から取り外し可能であり、清掃機構９によってフィルタ５から除去される塵埃が、塵埃導入ホース６１を介して導入されるように設けられているため、ダストボックス１１を天井Ｕの点検口Ｕ１又はその近傍に配置することができるようになり、掃除機のノズル２０をノズル差込口に差し込む作業を容易に行うことができる。また、上述の実施形態及び変形例１〜４と同様に、掃除機のノズル２０をノズル差込口１３に差し込んでダストボックス１１内から塵埃を掃除機に吸引して排出する際に、空気孔１７ａを通じてダストボックス１１の外部から空気を取り入れることができるようになっているため、ダストボックス１１内の圧力が極度に低くなり、塵埃が掃除機の吸引されにくくなるのを防ぐことができる。
【０１１７】
（１３）変形例８
上述の実施形態及び変形例１〜５にかかる空気調和装置１では、ダストボックス１１がケーシング２（具体的には、側板２６）に設けられており、点検口Ｕ１を開けて、ダストボックス１１のノズル差込口１３に掃除機のノズル２０を差し込むようにしているが、ダストボックス１１のノズル差込口１３を点検口Ｕ１又はその近傍まで延長するホースを設けるようにしてもよい。例えば、上述の実施形態にかかるダストボックス１１（図６参照）を例にすると、図２０及び図２１に示されるように、ダストボックス１１のノズル差込口１３に内部に溜められる塵埃を天井Ｕに設けられた点検口Ｕ１まで導出するための塵埃導出ホース７１を接続し、塵埃導出ホース７１の点検口側の先端に、掃除機のノズル２０を差し込むことが可能なノズル差込口７３を形成することができる。ここで、塵埃導出ホース７１のダストボックス１１側の先端は、掃除機のノズル２０と同じ形状になっており、掃除機のノズル２０を差し込む場合と同様にして、ノズル差込口１３に差し込まれている。また、塵埃導出ホース７１の点検口側の先端の構造は、ダストボックス１１のノズル差込口１３及びその近傍部分の構造と同じである（但し、図２１においては、ノズル差込口７３及びその近傍部分の符号として、ダストボックス１１のノズル差込口１３及びその近傍部分を示す符号１２〜１６の代わりに、符号７２〜７６を使用している）。
【０１１８】
本変形例にかかる空気調和装置１では、ダストボックス１１の内部に溜められる塵埃を天井Ｕに設けられた点検口Ｕ１まで導出するための塵埃導出ホース７１が、ダストボックス１１に接続されており、しかも、塵埃導出ホース７１の点検口側の先端に掃除機のノズル２０を差し込むことが可能なノズル差込口７３が形成されており、このノズル差込口７３を、天井Ｕの点検口Ｕ１又はその近傍に配置することができるため、掃除機のノズル２０をノズル差込口７３に差し込む作業を容易に行うことができる。
【０１１９】
（１４）他の実施形態
以上、本発明の実施形態について図面に基づいて説明したが、具体的な構成は、これらの実施形態に限られるものではなく、発明の要旨を逸脱しない範囲で変更可能である。
【０１２０】
例えば、上述の実施形態及び変形例では、フィルタ５を構成する濾過部材５２が自走し、ダストボックス１１の近傍に設置された清掃機構９を用いて濾過部材５２が捕集した塵埃を除去してダストボックス１１に溜める構成を採用しているが、清掃機構９が自走してフィルタ５から塵埃を除去し、除去された塵埃をダストボックス１１に搬送してダストボックス１１に溜める構成を採用してもよい。
【産業上の利用可能性】
【０１２１】
本発明を利用すれば、ダクト型の空気調和装置において、吸入口に設けられたフィルタの掃除に要する労力を減らすことができる。
【図面の簡単な説明】
【０１２２】
【図１】本発明の一実施形態にかかる天井設置型の空気調和装置の概略側面断面図である。
【図２】空気調和装置の概略平面断面図（但し、熱交換器については天板を取り除いた状態を図示）である。
【図３】空気調和装置の概略側面図であって、図２をＡ方向から見た図である。
【図４】空気調和装置の概略背面図であって、図２をＢ方向から見た図である。
【図５】フィルタのスプロケットの構造を示す斜視図である。
【図６】清掃機構及びダストボックスの概略断面図であって、図３のＣ−Ｃ断面図である。
【図７】変形例１にかかる空気調和装置の概略側面図であって、図３に対応する図である。
【図８】変形例２にかかる空気調和装置の概略平面断面図であって、図２に対応する図である。
【図９】変形例２にかかる清掃機構及びダストボックスの概略断面図であって、図８のＤ−Ｄ断面図である。
【図１０】変形例３にかかる清掃機構及びダストボックスの概略断面図であって、図６に対応する図である。
【図１１】変形例４にかかる清掃機構及びダストボックスの概略断面図であって、図６に対応する図である。
【図１２】変形例４にかかる清掃機構及びダストボックスの概略断面図であって、図６に対応する図である。
【図１３】変形例４にかかる清掃機構及びダストボックスの概略断面図であって、図９に対応する図である。
【図１４】変形例４にかかる清掃機構及びダストボックスの概略断面図であって、図９に対応する図である。
【図１５】変形例５にかかる清掃機構及びダストボックスの概略断面図であって、図６に対応する図である。
【図１６】変形例６にかかる空気調和装置の概略平面断面図（但し、熱交換器については天板を取り除いた状態を図示）である。
【図１７】変形例６にかかる清掃機構及びダストボックスの概略断面図であって、図１６のＥ−Ｅ断面図である。
【図１８】変形例７にかかる空気調和装置の概略平面断面図（但し、熱交換器については天板を取り除いた状態を図示）である。
【図１９】変形例７にかかる塵埃導入ホース及びダストボックスの概略断面図である。
【図２０】変形例８にかかる空気調和装置の概略平面断面図（但し、熱交換器については天板を取り除いた状態を図示）である。
【図２１】変形例８にかかる塵埃導出ホース及びダストボックスの概略断面図である。
【符号の説明】
【０１２３】
１  空気調和装置
２  ケーシング
２ａ  空気流路
２ｂ  吸入流路
３  熱交換器
４  送風ファン
５  フィルタ
９  清掃機構
１１  ダストボックス
１２  第１壁部
１３  ノズル差込口
１４、１１４  開閉蓋
１６  内弁
１７  第２壁部
１７ａ、１８ａ  空気孔
１８  第３壁部
２１ａ  吸入口
２２ａ  吹出口
２６ａ  ケーシング蓋
６１  塵埃導入ホース
７１  塵埃導出ホース
７３  ノズル差込口